(57)【要約】【課題】情報の記録再生精度を向上できるようにする。【解決手段】光ディスク１００における記録層１０１の両面に設けられた反射透過膜１０４及び１０５の目標トラックにそれぞれ赤色光ビームＬｒ１及びＬｒ２を合焦させると共に、記録マークＲＭを記録すべきマーク記録層の番号ｉに応じた比率ｍを用いて距離ｔ１１及び距離ｔ１２を算出し、可動レンズ６１を移動させて赤色光ビームＬｒ１の焦点Ｆｒ１と青色光ビームＬｂ１の焦点Ｆｂ１との間隔を当該距離ｔ１１に調整すると共に、可動レンズ９６を移動させて赤色光ビームＬｒ２の焦点Ｆｒ２と青色光ビームＬｂ２の焦点Ｆｂ２との間隔を当該距離ｔ１２に調整することにより、当該焦点Ｆｂ１及び当該焦点Ｆｂ２を精度良く目標マーク位置に合わせることができる。【選択図】        図１６
2008097754.tif 000002
【特許請求の範囲】
【請求項１】
同一の光源から射出される第１及び第２の光をディスク状でなる体積型記録媒体の両面から同一の焦点位置となるようそれぞれ照射して定在波を記録マークとして記録し、又は上記体積型記録媒体の一面から上記第１の光を上記焦点位置へ照射し当該記録マークを再生する光ディスク装置において、
上記体積型記録媒体に設けられ位置検出用パターンが形成された複数の反射層のうち第１の反射層に対して第１の位置検出光を照射し、その反射光を基に当該第１の位置検出光を当該第１の反射層における第１の目標位置に合焦させる第１の位置制御手段と、
上記複数の反射層のうち第２の反射層に対して第２の位置検出光を照射し、その反射光を基に当該第２の位置検出光を当該第２の反射層において上記第１の目標位置と対応した第２の目標位置に合焦させる第２の位置制御手段と、
上記第１の位置制御手段による位置制御結果及び上記第２の位置制御手段による位置制御結果を基に、上記体積型記録媒体内における上記第１及び第２の目標位置を結ぶ仮想線を基準として上記第１及び第２の光の焦点位置を設定する焦点位置設定手段と
を具えることを特徴とする光ディスク装置。
【請求項２】
上記焦点位置設定手段は、
上記第１の位置制御手段による位置制御結果及び上記第２の位置制御手段による位置制御結果を基に、上記第１の目標位置と上記第２の目標位置との距離を反射層間隔として算出し、上記記録マークの位置に応じた比率で上記反射層間隔を内分する内分点を上記第１及び第２の光の焦点位置として設定する
ことを特徴とする請求項１に記載の光ディスク装置。
【請求項３】
上記焦点位置設定手段は、
上記反射層間隔内に互いに異なる３以上の上記内分点を設定することにより、上記第１の反射層と上記第２の反射層との間に３層以上の定在波記録層を形成し、又は当該３層以上の定在波記録層からそれぞれ定在波を再生する
ことを特徴とする請求項２に記載の光ディスク装置。
【請求項４】
上記焦点位置設定手段は、
上記第１及び第２の反射層の近傍では上記定在波記録層同士の間隔が比較的小さくなり、当該第１及び第２の反射層から離れるに連れて上記定在波記録層同士の間隔が比較的大きくなるよう上記内分点を設定する
ことを特徴とする請求項２に記載の光ディスク装置。
【請求項５】
上記第１の位置制御手段は、
上記第１の光及び上記第１の位置検出光を集光する第１の対物レンズの位置制御を行うことにより、当該第１の位置検出光を上記第１の反射層における上記目標位置に合焦させ、
上記第２の位置制御手段は、
上記第２の光及び上記第２の位置検出光を集光する第２の対物レンズの位置制御を行うことにより、当該第２の位置検出光を上記第２の反射層における上記対応位置に合焦させ、
上記焦点位置設定手段は、
上記反射層間隔及び上記所定比率を基に、上記第１の光の焦点と上記第１の位置検出光の焦点との距離を設定すると共に、上記第２の光の焦点と上記第２の位置検出光の焦点との距離を設定する
ことを特徴とする請求項２に記載の光ディスク装置。
【請求項６】
上記第１の位置制御手段及び上記第２の位置制御手段は、
上記複数の反射層のうち、上記体積型記録媒体内の上記定在波を記録すべき位置を挟む２つの反射層をそれぞれ上記第１の反射層及び上記第２の反射層とする
ことを特徴とする請求項１に記載の光ディスク装置。
【請求項７】
上記第１の位置検出光及び上記第２の位置検出光は、上記第１及び第２の光と異なる波長でなる
ことを特徴とする請求項１に記載の光ディスク装置。
【請求項８】
上記第１及び第２の反射層は、
上記第１及び第２の光を透過すると共に上記第１及び第２の位置検出光を反射する波長選択性を有する
ことを特徴とする請求項７に記載の光ディスク装置。
【請求項９】
上記第１の位置検出光及び上記第２の位置検出光は、互いに異なる波長でなる
ことを特徴とする請求項７に記載の光ディスク装置。
【請求項１０】
上記第２の位置制御手段は、
上記体積型記録媒体に対して上記第１の位置検出光と同一の面から上記第２の位置検出光を照射し、
上記第１の反射層は、
上記第１及び第２の光並びに上記第２の位置検出光を透過すると共に上記第１の位置検出光を反射する波長選択性を有し、
上記第２の反射層は、
上記第１及び第２の光を透過すると共に上記第２の位置検出光を反射する波長選択性を有する
ことを特徴とする請求項９に記載の光ディスク装置。
【請求項１１】
同一の光源から射出される第１及び第２の光をディスク状でなる体積型記録媒体の両面から同一の焦点位置となるようそれぞれ照射して定在波を記録マークとして記録し、又は上記体積型記録媒体の一面から上記第１の光を上記焦点位置へ照射し当該記録マークを再生する際の焦点位置制御方法において、
上記体積型記録媒体に設けられ位置検出用パターンが形成された複数の反射層のうち第１の反射層に対して第１の位置検出光を照射し、その反射光を基に当該第１の位置検出光を当該第１の反射層における第１の目標位置に合焦させる第１の位置制御ステップと、
上記複数の反射層のうち第２の反射層に対して第２の位置検出光を照射し、その反射光を基に当該第２の位置検出光を当該第２の反射層において上記第１の目標位置と対応する第２の目標位置に合焦させる第２の位置制御ステップと、
上記第１の位置制御ステップによる位置制御結果及び上記第２の位置制御ステップによる位置制御結果を基に、上記体積型記録媒体内における上記第１及び第２の目標位置を結ぶ仮想線を基準として上記第１及び第２の光の焦点位置を設定する焦点位置設定ステップと
を具えることを特徴とする焦点位置制御方法。
【請求項１２】
両面から照射される第１及び第２の光により生じる定在波を記録するための記録層が設けられた体積型記録媒体において、
位置検出用パターンが形成され、当該位置検出用パターン上における第１の目標位置に第１の位置検出光を合焦させるための第１の反射層と、
上記第１の反射層と対応する位置検出用パターンが形成され、当該位置検出用パターン上において上記第１の目標位置に対応する第２の目標位置に第２の位置検出光を合焦させるための第２の反射層と
を具え、
上記記録層は、
上記体積型記録媒体内における上記第１及び第２の目標位置を結ぶ仮想線を基準として上記定在波の記録位置が定められる
ことを特徴とする体積型記録媒体。
【請求項１３】
上記第１及び第２の反射層は、
上記第１及び第２の光を透過すると共に、当該第１及び第２の光と波長が異なる上記第１及び第２の位置検出光を反射する波長選択性を有する
ことを特徴とする請求項１２に記載の体積型記録媒体。
【請求項１４】
上記第１及び第２の反射層は、上記記録層を上記両面から挟むよう形成されている
ことを特徴とする請求項１２に記載の体積型記録媒体。
【請求項１５】
上記記録層は、
上記第１の記録層と上記第２の反射層との間に、上記第１の反射層と対応する位置検出用パターンが形成され上記第１又は第２の位置検出光を当該位置検出用パターン上の上記第１及び第２の目標位置に対応した他の目標位置に合焦させるための他の反射層が１以上設けられている
ことを特徴とする請求項１４に記載の体積型記録媒体。
【請求項１６】
上記第１及び第２の反射層並びに上記他の反射層は、
上記第１又は第２の位置検出光に対する反射率がそれぞれ調整されていることにより、当該第１又は第２の位置検出光を反射した反射光をそれぞれ上記記録層の外部へ到達させる
ことを特徴とする請求項１５に記載の体積型記録媒体。
【請求項１７】
上記第１の反射層は、
上記第１及び第２の光と波長が異なり上記第１の位置検出光と同方向から照射される上記第２の位置検出光と上記第１及び第２の光とをいずれも透過すると共に、当該第１及び第２の光並びに上記第２の位置検出光のいずれとも波長が異なる上記第１の位置検出光を反射する波長選択性を有し、
上記第２の反射層は、
上記第１及び第２の光をいずれも透過すると共に上記第２の位置検出光を反射する波長選択性を有する
ことを特徴とする請求項１２に記載の体積型記録媒体。
【発明の詳細な説明】
【技術分野】
【０００１】
本発明は光ディスク装置、焦点位置制御方法及び体積型記録媒体に関し、例えば光ディスクにホログラムを記録する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
またかかる従来の光ディスク装置では、当該光ディスクに対して光ビームを照射することにより、当該光ディスクの局所的な反射率等を変化させることにより、情報の記録を行うようになされている。
【０００４】
この光ディスクに関しては、当該光ディスク上に形成される光スポットの大きさは、およそλ／ＮＡ（λ：光ビームの波長、ＮＡ:開口数）で与えられ、解像度もこの値に比例することが知られている。例えば、直径１２０［ｍｍ］の光ディスクにおよそ２５［ＧＢ］のデータを記録し得るＢＤの詳細については、非特許文献１に示されている。
【０００５】
ところで光ディスクには、音楽コンテンツや映像コンテンツ等の各種コンテンツ、或いはコンピュータ用の各種データ等のような種々の情報が記録されるようになされている。特に近年では、映像の高精細化や音楽の高音質化等により情報量が増大し、また１枚の光ディスクに記録するコンテンツ数の増加が要求されているため、当該光ディスクのさらなる大容量化が要求されている。
【０００６】
そこで、１枚の光ディスク内で記録層を重ねることにより、１枚の光ディスクにおける記録容量を増加させる手法も提案されている（例えば、非特許文献２参照）。
【０００７】
一方、光ディスクに対する情報の記録手法として、ホログラムを用いた光ディスク装置も提案されている（例えば、非特許文献３参照）。
【０００８】
例えば図１に示すように、光ディスク装置１は、照射された光強度によって屈折率が変化するフォトポリマ等でなる光ディスク８中に、光学ヘッド７から一旦光ビームを集光し、その後光ディスク８の裏面側（図１では下側）に設けられた反射装置９を用いて、もう一度逆方向から光ビームを同一焦点位置に集光するようになされている。
【０００９】
光ディスク装置１は、レーザ２からレーザ光でなる光ビームを出射させ、音響光学変調器３によりその光波を変調し、コリメータレンズ４により平行光に変換する。続いて光ビームは、偏光ビームスプリッタ５を透過し、１／４波長板６により直線偏光から円偏光に変換されてから、光学ヘッド７へ入射される。
【００１０】
光学ヘッド７は、情報の記録及び再生を行い得るようになされており、光ビームをミラー７Ａにより反射し、対物レンズ７Ｂにより集光して、スピンドルモータ（図示せず）により回転されている光ディスク８に照射する。
【００１１】
このとき光ビームは、光ディスク８の内部で一旦合焦されてから、当該光ディスク８の裏面側に配置された反射装置９によって反射され、当該光ディスク８の裏面側から光ディスク８の内部における同一焦点に集光される。因みに反射装置９は、集光レンズ９Ａ、シャッタ９Ｂ、集光レンズ９Ｃ及び反射ミラー９Ｄにより構成されている。
【００１２】
この結果、図２（Ａ）に示すように、光ビームの焦点位置に定在波が生じ、全体的に２つの円錐体を互いの底面同士で貼り合わせたような形状でなる、光スポットサイズの小さなホログラムでなる記録マークＲＭを形成する。かくしてこの記録マークＲＭが情報として記録される。
【００１３】
光ディスク装置１は、光ディスク８の内部にこの記録マークＲＭを複数記録する際、当該光ディスク８を回転させ各記録マークＲＭを同心円状又は螺旋状のトラックに沿って配置することにより一つのマーク記録層を形成し、さらに光ビームの焦点位置を調整することにより、マーク記録層を複数層重ねるように各記録マークＲＭを記録することができる。
【００１４】
これにより光ディスク８は、内部に複数のマーク記録層を有する多層構造となる。例えば光ディスク８は、図２（Ｂ）に示すように、記録マークＲＭ間の距離（マークピッチ）ｐ１が１．５［μｍ］、トラック間の距離（トラックピッチ）ｐ２が２［μｍ］、層間の距離ｐ３が２２．５［μｍ］となっている。
【００１５】
また光ディスク装置１は、記録マークＲＭが記録されたディスク８から情報を再生する場合、反射装置９のシャッタ９Ｂを閉じ、光ディスク８の裏面側から光ビームを照射しないようにする。
【００１６】
このとき光ディスク装置１は、光学ヘッド７によって光ディスク８中の記録マークＲＭへ光ビームを照射し、当該記録マークＲＭから発生する再生光ビームを当該光学ヘッド７へ入射させる。この再生光ビームは、１／４波長板６により円偏光から直線偏光に変換され、偏光ビームスプリッタ５により反射される。さらに再生光ビームは、集光レンズ１０により集光され、ピンホール１１を介してフォトディテクタ１２へ照射される。
【００１７】
光ディスク装置１は、このときフォトディテクタ１２により再生光ビームの光量を検出し、その検出結果を基に情報を再生する。
【００１８】
また、対物レンズの位置制御と情報の記録・再生とで異なる種類の光ビームを用いる光ディスク装置も提案されている（例えば、特許文献１参照）。
【非特許文献１】Y.Kasami, Y.Kuroda, K.Seo, O.Kawakubo, S.Takagawa, M.Ono, and M.Yamada, Jpn. J. Appl. Phys., 39,756(2000)
【非特許文献２】I.Ichimura et al,Technical Digest of ISOM’04, pp52, Oct.11-15, 2005, JejuKorea
【非特許文献３】R. R. McLeod et al.,“Microholographic multilayer optical disk data storage,” Appl. Opt., Vol. 44, 2005, pp3197
【特許文献１】特開２００４−２６５４７２公報（図２）
【発明の開示】
【発明が解決しようとする課題】
【００１９】
ところで、光ディスク装置１におけると特許文献１に示されている手法とを組み合わせることにより、例えば図３に示すような光ディスク１８を用いて情報の記録及び再生を行うことが考えられる。
【００２０】
光ディスク１８は、基板１８Ａ及び１８Ｄにより記録層１８Ｃを挟んだ構成となっており、さらに基板１８Ａと記録層１８Ｃとの間に波長選択性を有すると共にトラックが形成された反射透過膜１８Ｂを有している。この反射透過膜１８Ｂは、光ディスク装置１５から対物レンズ１６を介して照射される所定波長の位置制御光ビームＬ１を反射すると共に、当該位置制御光ビームＬ１と異なる波長でなる記録再生光ビームＬ２を透過するようになされている。
【００２１】
このことを利用して光ディスク装置１５は、反射透過膜１８Ｂにおいて位置制御光ビームＬ１が反射されてなる戻り光を検出し、その検出結果に応じて対物レンズ１６のフォーカス制御及びトラッキング制御といった位置制御を行い、位置制御光ビームＬ１を反射透過膜１８Ｂの所望トラックに合焦させる。また光ディスク装置１５は、対物レンズ１６と連動して対物レンズ１７の位置制御を行う。
【００２２】
この状態で光ディスク装置１５は、対物レンズ１６を介して記録再生光ビームＬ２を記録層１８Ｃ内の所望位置Ｕ１に合焦させ、さらに記録時には対物レンズ１７を介して記録光ビームＬ３を当該所望位置Ｕ１に合焦させることにより、当該所望位置Ｕ１に情報（すなわち記録マークＲＭ等）の記録又は再生を行うようになされている。
【００２３】
ところで光ディスク装置１５では、光ディスク１８の反りや面ブレ等の要因により、当該光ディスク装置１５に対して当該光ディスク１８が傾き（いわゆるスキュー）を有することがある。
【００２４】
この場合、図３と対応する図４に示すように、光ディスク装置１５が位置制御光ビームＬ１を反射透過膜１８Ｂの所望トラックに合焦させたとしても、記録再生光ビームＬ２を記録層１８Ｃ内の所望位置Ｕ１からずれた位置Ｕ２に合焦させることになるため、当該所望位置Ｕ１に情報（記録マークＲＭ等）を記録し、又は当該所望位置Ｕ１の情報を再生することができなくなってしまう。
【００２５】
このように光ディスク装置１５では、光ディスク１８に傾きが生じた場合、情報の記録再生精度が低下する恐れがあるという問題があった。
【００２６】
本発明は以上の点を考慮してなされたもので、情報の記録再生精度を向上し得る光ディスク装置、焦点位置制御方法及び体積型記録媒体を提案しようとするものである。
【課題を解決するための手段】
【００２７】
かかる課題を解決するため本発明の光ディスク装置においては、同一の光源から射出される第１及び第２の光をディスク状でなる体積型記録媒体の両面から同一の焦点位置となるようそれぞれ照射して定在波を記録マークとして記録し、又は体積型記録媒体の一面から第１の光を焦点位置へ照射し当該記録マークを再生する光ディスク装置において、体積型記録媒体に設けられ位置検出用パターンが形成された複数の反射層のうち第１の反射層に対して第１の位置検出光を照射し、その反射光を基に当該第１の位置検出光を当該第１の反射層における第１の目標位置に合焦させる第１の位置制御手段と、複数の反射層のうち第２の反射層に対して第２の位置検出光を照射し、その反射光を基に当該第２の位置検出光を当該第２の反射層において第１の目標位置と対応した第２の目標位置に合焦させる第２の位置制御手段と、第１の位置制御手段による位置制御結果及び第２の位置制御手段による位置制御結果を基に、体積型記録媒体内における第１及び第２の目標位置を結ぶ仮想線を基準として第１及び第２の光の焦点位置を設定する焦点位置設定手段とを設けるようにした。
【００２８】
これにより本発明の光ディスク装置では、第１及び第２の光の焦点位置を定める際の指標となる第１及び第２の目標位置を確実に認識することができ、当該第１及び第２の目標位置を結ぶ仮想線を基準とすることにより、第１及び第２の光の焦点位置を所望位置に確実且つ精度良く合わせることができる。
【００２９】
また本発明の焦点位置制御方法においては、同一の光源から射出される第１及び第２の光をディスク状でなる体積型記録媒体の両面から同一の焦点位置となるようそれぞれ照射して定在波を記録マークとして記録し、又は体積型記録媒体の一面から第１の光を焦点位置へ照射し当該記録マークを再生する際の焦点位置制御方法において、体積型記録媒体に設けられ位置検出用パターンが形成された複数の反射層のうち第１の反射層に対して第１の位置検出光を照射し、その反射光を基に当該第１の位置検出光を当該第１の反射層における第１の目標位置に合焦させる第１の位置制御ステップと、複数の反射層のうち第２の反射層に対して第２の位置検出光を照射し、その反射光を基に当該第２の位置検出光を当該第２の反射層において第１の目標位置と対応する第２の目標位置に合焦させる第２の位置制御ステップと、第１の位置制御ステップによる位置制御結果及び第２の位置制御ステップによる位置制御結果を基に、体積型記録媒体内における第１及び第２の目標位置を結ぶ仮想線を基準として第１及び第２の光の焦点位置を設定する焦点位置設定ステップとを設けるようにした。
【００３０】
これにより本発明の焦点位置制御方法では、第１及び第２の光の焦点位置を定める際の指標となる第１及び第２の目標位置を確実に認識することができ、当該第１及び第２の目標位置を結ぶ仮想線を基準とすることにより、第１及び第２の光の焦点位置を所望位置に確実且つ精度良く合わせることができる。
【００３１】
さらに本発明の体積型記録媒体においては、両面から照射される第１及び第２の光により生じる定在波を記録するための記録層が設けられた体積型記録媒体において、位置検出用パターンが形成され、当該位置検出用パターン上における第１の目標位置に第１の位置検出光を合焦させるための第１の反射層と、第１の反射層と対応する位置検出用パターンが形成され、当該位置検出用パターン上において第１の目標位置に対応する第２の目標位置に第２の位置検出光を合焦させるための第２の反射層とを設け、記録層は、体積型記録媒体内における第１及び第２の目標位置を結ぶ仮想線を基準として定在波の記録位置が定められるようにした。
【００３２】
これにより本発明の体積型記録媒体では、第１及び第２の光の焦点位置を定める際の指標となる第１及び第２の目標位置を確実に認識させることができ、当該第１及び第２の目標位置を結ぶ仮想線を基準とさせることにより、第１及び第２の光を所望位置に確実且つ精度良く合焦させることができる。
【発明の効果】
【００３３】
本発明によれば、第１及び第２の光の焦点位置を定める際の指標となる第１及び第２の目標位置を確実に認識することができ、当該第１及び第２の目標位置を結ぶ仮想線を基準とすることにより、第１及び第２の光の焦点位置を所望位置に精度良く合わせることができ、かくして情報の記録再生精度を向上し得る光ディスク装置及び焦点位置制御方法を実現できる。
【００３４】
また本発明によれば、第１及び第２の光の焦点位置を定める際の指標となる第１及び第２の目標位置を確実に認識させることができ、当該第１及び第２の目標位置を結ぶ仮想線を基準とさせることにより、第１及び第２の光を所望位置に確実且つ精度良く合焦させることができ、かくして情報の記録再生精度を向上し得る体積型記録媒体を実現できる。
【発明を実施するための最良の形態】
【００３５】
以下、図面について、本発明の一実施の形態を詳述する。
【００３６】
（１）光ディスクの構成
まず、本実施の形態において情報記録媒体として用いられる光ディスク１００について説明する。図５（Ａ）に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００３７】
また光ディスク１００は、図５（Ｂ）に断面図を示すように、情報を記録するための記録層１０１を中心に有しており、基板１０２及び１０３により当該記録層１０１を両面から挟むように構成されている。
【００３８】
因みに、記録層１０１の厚さｔ１は約０．３［ｍｍ］、基板１０２及び１０３の厚さｔ２及びｔ３はいずれも約０．６［ｍｍ］となるようになされている。
【００３９】
基板１０２及び１０３は、例えばポリカーボネイトやガラス等の材料により構成されており、いずれも一面から入射される光をその反対面へ高い透過率で透過させるようになされている。また基板１０２及び１０３は、ある程度の強度を有しており、記録層１０１を保護する役割も担うようになされている。
【００４０】
因みに光ディスク１００は、厚さ方向に関して記録層１０１を中心としたほぼ対称な構造となっており、全体として経年変化等による反りや歪み等の発生を極力抑えるようにも配慮されている。なお基板１０２及び１０３の表面については、無反射コーティングにより不要な反射が防止されるようになされていても良い。
【００４１】
記録層１０１は、光ディスク８（図１）と同様、照射された光強度によって屈折率が変化するフォトポリマ等でなり、波長約４０５［ｎｍ］でなる青色光ビームに反応するようになされている。図５（Ｂ）に示したように、比較的強い強度でなる２本の青色光ビームＬｂ１及びＬｂ２が記録層１０１内において干渉した場合、当該記録層１０１には定在波が生成されることになり、図２（Ａ）に示したようなホログラムとしての性質を有する干渉パターンが形成される。
【００４２】
さらに記録層１０１は、波長４０５［ｎｍ］でなる青色光ビームに関して、基板１０２及び１０３と同等の屈折率を呈するようになされており、記録層１０１と基板１０３との境界面等において当該青色光ビームを殆ど屈折させないようになされている。
【００４３】
また光ディスク１００は、記録層１０１と基板１０２との境界面及び当該記録層１０１と基板１０３との境界面にそれぞれ反射層としての反射透過膜１０４及び１０５を有している。反射透過膜１０４及び１０５は、いずれも誘電体多層膜等でなり、波長４０５［ｎｍ］でなる青色光ビームＬｂ１、Ｌｂ２及び青色再生光ビームＬｂ３を透過すると共に、波長６６０［ｎｍ］でなる赤色光ビームを反射するといった波長選択性を有している。
【００４４】
また反射透過膜１０４及び１０５は、トラッキングサーボ及びフォーカスサーボに用いられる位置検出用パターンとしての案内溝を形成しており、具体的には、一般的なＢＤ−Ｒ（Recordable）ディスク等と同様のランド及びグルーブにより螺旋状のトラックを形成している。このトラックには、所定の記録単位ごとに一連の番号でなるアドレスが付されており、情報を記録又は再生するトラックを当該アドレスにより特定し得るようになされている。
【００４５】
さらに反射透過膜１０４及び１０５に形成されたトラックは、光ディスク１００の厚さ方向に関する対応位置に同一のアドレスが割り振られている。
【００４６】
なお反射透過膜１０４及び１０５（すなわち記録層１０１と基板１０２との境界面、及び記録層１０１と基板１０３との境界面）には、案内溝に代えてピット等が形成され、或いは案内溝とピット等とが組み合わされていても良く、要は光ビームによりアドレスを認識し得れば良い。
【００４７】
この反射透過膜１０４は、基板１０２側から第１の位置検出光としての赤色光ビームＬｒ１が照射された場合、これを当該基板１０２側へ反射する。以下、このとき反射された光ビームを赤色反射光ビームＬｒ１ｅと呼ぶ。
【００４８】
この赤色反射光ビームＬｒ１ｅは、例えば光ディスク装置において、目標とするトラック（目標案内位置に相当、以下これを目標トラックと呼ぶ）に対して、所定の対物レンズＯＬ１により集光された赤色光ビームＬｒ１の焦点Ｆｒ１を合わせるための、当該対物レンズＯＬ１の位置制御（すなわちフォーカス制御及びトラッキング制御）に用いられることが想定されている。
【００４９】
また反射透過膜１０５は、基板１０３側から第２の位置検出光としての赤色光ビームＬｒ２が照射された場合、これを当該基板１０３側へ反射する。以下、このとき反射された光ビームを赤色反射光ビームＬｒ２ｅと呼ぶ。
【００５０】
この赤色反射光ビームＬｒ２ｅは、赤色反射光ビームＬｒ１ｅと同様、目標トラックに対して、所定の対物レンズＯＬ２により集光された赤色光ビームＬｒ２の焦点Ｆｒ２を合わせるための位置制御に用いられることが想定されている。
【００５１】
因みに以下では、光ディスク１００の基板１０２側の面を第１面１００Ａと呼び、当該光ディスク１００の基板１０３側の面を第２面１００Ｂと呼ぶ。
【００５２】
実際上、光ディスク１００に情報が記録されるとき、図５（Ｂ）に示したように、位置制御された対物レンズＯＬ１により赤色光ビームＬｒ１が集光され、反射透過膜１０４における第１の目標位置としての目標トラックに合焦されると共に、位置制御された対物レンズＯＬ２により赤色光ビームＬｒ２が集光され、反射透過膜１０５における第２の目標位置としての目標トラックに合焦される。
【００５３】
また、当該赤色光ビームＬｒ１と光軸Ｌｘを共有し当該対物レンズＯＬ１により集光された青色光ビームＬｂ１が、基板１０２及び反射透過膜１０４を透過し、記録層１０１内における目標トラックの裏側（すなわち基板１０２側）に合焦される。このとき青色光ビームＬｂ１の焦点Ｆｂ１は、対物レンズＯＬ１を基準として、共通の光軸Ｌｘ上における焦点Ｆｒ１よりも遠方に位置することになる。
【００５４】
さらに、青色光ビームＬｂ１と同一波長でなり光軸Ｌｘを共有する青色光ビームＬｂ２が、当該青色光ビームＬｂ１の反対側となる基板１０３側から、対物レンズＯＬ１と同等の光学特性を有する対物レンズＯＬ２により集光され、照射されるようになされている。このとき当該青色光ビームＬｂ２の焦点Ｆｂ２は、当該対物レンズＯＬ２が位置制御されることにより、青色光ビームＬｂ１の焦点Ｆｂ１と同一の位置となるようになされている。
【００５５】
この結果、光ディスク１００には、記録層１０１内における反射透過膜１０４の目標トラックと反射透過膜１０５の目標トラックとの間に焦点Ｆｂ１及びＦｂ２を位置させることができ、これにより比較的小さい干渉パターンでなる記録マークＲＭが記録される。
【００５６】
このとき記録層１０１内には、いずれも収束光でなる青色光ビームＬｂ１及びＬｂ２が重なり、且つ所定強度以上となった部分に定在波が生じ、記録マークＲＭが形成される。このため記録マークＲＭは、図２（Ａ）に示したように、全体的に２つの円錐体を互いの底面同士で貼り合わせたような形状となり、中央部（底面同士を貼り合わせた部分）が僅かにくびれている。
【００５７】
因みに、記録マークＲＭに関して、中央部におけるくびれ部分の直径ＲＭｒについては、青色光ビームＬｂ１及びＬｂ２の波長をλ［ｍ］、対物レンズＯＬ１及びＯＬ２の開口数をＮＡとすると、次に示す（１）式により求められる。
【００５８】
【数１】
2008097754.tif 000003
【００５９】
また記録マークＲＭの高さＲＭｈに関しては、対物レンズＯＬ１及びＯＬ２の屈折率をｎとすると、次に示す（２）式により求められる。
【００６０】
【数２】
2008097754.tif 000004
【００６１】
例えば、波長λを４０５［ｎｍ］、開口数ＮＡを０．５、屈折率ｎを１．５とすると、（１）式より直径ＲＭｒ＝０．９７［μｍ］、（２）式より高さＲＭｈ＝９．７２［μｍ］となる。
【００６２】
さらに光ディスク１００は、記録層１０１の厚さｔ１（＝０．３［ｍｍ］）が記録マークＲＭの高さＲＭｈよりも充分に大きくなるよう設計されている。このため光ディスク１００は、記録層１０１内における記録反射膜１０４からの距離（以下、これを深さｄと呼ぶ）が切り換えられながら記録マークＲＭが記録されることにより、図２（Ｂ）に示したような、複数のマーク記録層を当該光ディスク１００の厚さ方向に重ねた多層記録を行い得るようになされている。
【００６３】
この場合、光ディスク１００の記録層１０１内において、青色光ビームＬｂ１及びＬｂ２の焦点Ｆｂ１及びＦｂ２の深さが調整されることにより、記録マークＲＭの深さｄが変更されることになる。例えば光ディスク１００は、記録マークＲＭ同士の相互干渉等を考慮してマーク記録層同士の距離ｐ３が約１５［μｍ］に設定されれば、記録層１０１内に約２０層のマーク記録層を形成することができる。なお距離ｐ３については、約１５［μｍ］とする以外にも、記録マークＲＭ同士の相互干渉等を考慮した上で他の種々の値としても良い。
【００６４】
一方、光ディスク１００は、情報が再生されるとき、当該情報を記録したときと同様に、対物レンズＯＬ１により集光された赤色光ビームＬｒ１が反射透過膜１０４の目標トラックに合焦されるよう、当該対物レンズＯＬ１が位置制御されるようになされている。
【００６５】
また光ディスク１００は、対物レンズＯＬ２により集光された赤色光ビームＬｒ２が反射透過膜１０５の目標トラックに合焦されるよう、当該対物レンズＯＬ２が位置制御されるようになされている。
【００６６】
さらに光ディスク１００は、同一の対物レンズＯＬ１を介し基板１０２及び反射透過膜１０４を透過した青色光ビームＬｂ１の焦点Ｆｂ１が、記録層１０１内における当該目標トラックの「裏側」に相当し、かつ目標深さとなる位置（目標記録位置に相当、以下これを目標マーク位置と呼ぶ）に合焦されるようになされている。
【００６７】
このとき焦点Ｆｂ１の位置に記録されている記録マークＲＭは、ホログラムとしての性質により、当該目標マーク位置に記録されている記録マークＲＭから、青色再生光ビームＬｂ３を発生する。この青色再生光ビームＬｂ３は、記録マークＲＭの記録時に照射された青色光ビームＬｂ２と同等の光学特性を有しており、当該青色光ビームＬｂ２と同じ方向へ、すなわち記録層１０１内から基板１０２側へ発散しながら進むことになる。
【００６８】
このように光ディスク１００は、情報が記録される場合、位置制御用の赤色光ビームＬｒ１及びＬｒ２並びに情報記録用の青色光ビームＬｂ１及びＬｂ２が用いられることにより、記録層１０１内において焦点Ｆｂ１及びＦｂ２が重なる位置、すなわち反射透過膜１０４の目標トラックと反射透過膜１０５の目標トラックとの間において目標深さとなる目標マーク位置に、当該情報として記録マークＲＭが形成されるようになされている。
【００６９】
また光ディスク１００は、記録済みの情報が再生される場合、位置制御用の赤色光ビームＬｒ１及びＬｒ２並びに情報再生用の青色光ビームＬｂ１が用いられることにより、焦点Ｆｂ１の位置、すなわち目標マーク位置に記録されている記録マークＲＭから、青色再生光ビームＬｂ３を発生させるようになされている。
【００７０】
（２）光ディスク装置の構成
次に、上述した光ディスク１００に対応した光ディスク装置２０について説明する。光ディスク装置２０は、図６に示すように、制御部２１により全体を統括制御するようになされている。
【００７１】
制御部２１は、図示しないＣＰＵ（Central Processing Unit）を中心に構成されており、図示しないＲＯＭ（Read Only Memory）から基本プログラムや情報記録プログラム等の各種プログラムを読み出し、これらを図示しないＲＡＭ（Random Access Memory）に展開することにより、情報記録処理等の各種処理を実行するようになされている。
【００７２】
例えば制御部２１は、光ディスク１００が装填された状態で、図示しない外部機器等から情報記録命令、記録情報及び記録アドレス情報を受け付けると、駆動命令及び記録アドレス情報を駆動制御部２２へ供給すると共に、記録情報を信号処理部２３へ供給する。
【００７３】
因みに記録アドレス情報は、光ディスク１００の反射透過膜１０４及び１０５に付されたアドレスのうち記録情報を記録すべきアドレスを示すと共に、多層構造を形成するマーク記録層の層番号（すなわち反射透過膜１０４から数えて何層目であるか）を示す情報である。
【００７４】
駆動制御部２２は、制御部２１と同様に図示しないＣＰＵを中心に構成されており、図示しないＲＯＭからトラッキング制御プログラム等の各種プログラムを読み出し、これらを図示しないＲＡＭに展開することにより、トラッキング制御処理等の各種処理を実行するようになされている。
【００７５】
駆動制御部２２は、駆動命令に従い、スピンドルモータ２４を駆動制御することにより光ディスク１００を所定の回転速度で回転させると共に、スレッドモータ２５を駆動制御することにより、光ピックアップ２６を移動軸２５Ａ及び２５Ｂに沿って光ディスク１００の径方向（すなわち内周方向又は外周方向）における記録アドレス情報に対応した位置へ移動させる。
【００７６】
信号処理部２３は、供給された記録情報に対して所定の符号化処理や変調処理等の各種信号処理を施すことにより記録信号を生成し、これを光ピックアップ２６へ供給する。
【００７７】
光ピックアップ２６は、図７に示すように、側面略コ字状に構成されており、図５（Ｂ）に示したように、光ディスク１００に対して両面から焦点を合わせて光ビームを照射し得るようになされている。
【００７８】
光ピックアップ２６は、駆動制御部２２（図６）の制御に基づいてフォーカス制御及びトラッキング制御を行うことにより、光ディスク１００の記録層１０１における目標トラックに光ビームの照射位置を合わせ、信号処理部２３からの記録信号に応じた記録マークＲＭを記録するようになされている（詳しくは後述する）。
【００７９】
また制御部２１は、例えば外部機器（図示せず）から情報再生命令及び当該記録情報のアドレスを示す再生アドレス情報を受け付けると、駆動制御部２２に対して駆動命令を供給すると共に、再生処理命令を信号処理部２３へ供給する。
【００８０】
駆動制御部２２は、情報を記録する場合と同様、スピンドルモータ２４を駆動制御することにより光ディスク１００を所定の回転速度で回転させると共に、スレッドモータ２５を駆動制御することにより光ピックアップ２６を再生アドレス情報に対応した位置へ移動させる。
【００８１】
光ピックアップ２６は、駆動制御部２２（図６）の制御に基づいてフォーカス制御及びトラッキング制御を行うことにより、光ディスク１００の記録層１０１における再生アドレス情報により示されるトラック（すなわち目標トラック）に光ビームの照射位置を合わせ、所定光量の光ビームを照射する。このとき光ピックアップ２６は、光ディスク１００における記録層１０１の記録マークＲＭから発生される再生光ビームを検出し、その光量に応じた検出信号を信号処理部２３へ供給するようになされている（詳しくは後述する）。
【００８２】
信号処理部２３は、供給された検出信号に対して所定の復調処理や復号化処理等の各種信号処理を施すことにより再生情報を生成し、この再生情報を制御部２１へ供給する。これに応じて制御部２１は、この再生情報を外部機器（図示せず）へ送出するようになされている。
【００８３】
このように光ディスク装置２０は、制御部２１によって光ピックアップ２６を制御することにより、光ディスク１００の記録層１０１における目標トラックに情報を記録し、また当該目標トラックから情報を再生するようになされている。
【００８４】
（３）光ピックアップの構成
次に、光ピックアップ２６の構成について説明する。図８に模式的に示すように、光ピックアップ２６は、多数の光学部品が設けられており、大きく分けて第１面位置制御光学系３０、第１面情報光学系５０、第２面位置制御光学系７０及び第２面情報光学系９０により構成されている。
【００８５】
（３−１）第１面位置制御光学系の構成
第１面位置制御光学系３０は、光ディスク１００の第１面１００Ａに対して赤色光ビームＬｒ１を照射し、当該光ディスク１００により当該赤色光ビームＬｒ１が反射されてなる赤色反射光ビームＬｒ１ｅを受光するようになされている。
【００８６】
図９において第１面位置制御光学系３０のレーザダイオード３１は、波長約６６０［ｎｍ］の赤色レーザ光を射出し得るようになされている。実際上レーザダイオード３１は、制御部２１（図６）の制御に基づいて発散光でなる所定光量の赤色光ビームＬｒ１を射出し、コリメータレンズ３２へ入射させる。
【００８７】
コリメータレンズ３２は、赤色光ビームＬｒ１を発散光から平行光に変換しスリット３３を介して無偏光ビームスプリッタ３４へ入射させる。無偏光ビームスプリッタ３４は、赤色光ビームＬｒ１を反射透過面３４Ａにおいて約５０％の割合で透過し、補正レンズ３５へ入射させる。補正レンズ３５及び３６は、赤色光ビームＬｒ１を一度発散させてから収束させ、ダイクロックプリズム３７へ入射させる。
【００８８】
ダイクロックプリズム３７の反射透過面３７Ｓは、光ビームの波長により透過率及び反射率が異なる、いわゆる波長選択性を有しており、赤色光ビームをほぼ１００％の割合で透過し、青色光ビームをほぼ１００％の割合で反射するようになされている。このためダイクロックプリズム３７は、当該反射透過面３７Ｓにおいて赤色光ビームＬｒ１を透過し、対物レンズ３８へ入射させる。
【００８９】
対物レンズ３８は、赤色光ビームＬｒ１を集光し、光ディスク１００の第１面１００Ａへ向けて照射する。このとき赤色光ビームＬｒ１は、図５（Ｂ）に示したように、基板１０２を透過し反射透過膜１０４において反射され、赤色光ビームＬｒ１と反対方向へ向かう赤色反射光ビームＬｒ１ｅとなる。
【００９０】
因みに対物レンズ３８は、青色光ビームＬｂ１に最適化されて設計されており、赤色光ビームＬｒ１に関しては、スリット３３、補正レンズ３５及び３６との光学的な距離等の関係により、開口数（ＮＡ：Numerical Aperture）が０．４１の集光レンズとして作用することになる。
【００９１】
この後、赤色反射光ビームＬｒ１ｅ（図９）は、対物レンズ３８、ダイクロックプリズム３７、補正レンズ３６及び３５を順次透過して平行光にされた後、無偏光ビームスプリッタ３４へ入射される。
【００９２】
無偏光ビームスプリッタ３４は、赤色反射光ビームＬｒ１ｅを約５０％の割合で反射することによりミラー４０へ照射し、当該ミラー４０により当該赤色反射光ビームＬｒ１ｅを再度反射させた後、集光レンズ４１へ入射させる。
【００９３】
集光レンズ４１は、赤色反射光ビームＬｒ１ｅを収束させ、シリンドリカルレンズ４２により非点収差を持たせた上で当該赤色反射光ビームＬｒ１ｅをフォトディテクタ４３へ照射する。
【００９４】
ところで光ディスク装置２０では、回転する光ディスク１００における面ブレ等が発生する可能性があるため、第１面位置制御光学系３０に対する目標トラックの相対的な位置が変動する可能性がある。
【００９５】
このため、第１面位置制御光学系３０において赤色光ビームＬｒ１の焦点Ｆｒ１（図５（Ｂ））を目標トラックに追従させるには、当該焦点Ｆｒ１を光ディスク１００に対する近接方向又は離隔方向であるフォーカス方向及び光ディスク１００の内周側方向又は外周側方向であるトラッキング方向へ移動させる必要がある。
【００９６】
また光ディスク装置２０は、後述するように、赤色光ビームＬｒ１を光ディスク１００に対してほぼ垂直に入射させることが望ましい。
【００９７】
そこで対物レンズ３８は、３軸アクチュエータ３８Ａにより、フォーカス方向、トラッキング方向及びチルト方向の３軸方向へ駆動され得るようになされている。
【００９８】
また第１面位置制御光学系３０（図９）では、対物レンズ３８により赤色光ビームＬｒ１が集光され光ディスク１００の反射透過膜１０４へ照射されるときの合焦状態が、集光レンズ４１により赤色反射光ビームＬｒ１ｅが集光されフォトディテクタ４３に照射されるときの合焦状態に反映されるよう、各種光学部品の光学的位置が調整されている。
【００９９】
フォトディテクタ４３は、図１０に示すように、赤色反射光ビームＬｒ１ｅが照射される面上に、格子状に分割された４つの検出領域４３Ａ、４３Ｂ、４３Ｃ及び４３Ｄを有している。因みに矢印ａ１により示される方向（図中の縦方向）は、赤色光ビームＬｒ１が反射透過膜１０４（図５（Ｂ））に照射されるときの、トラックの走行方向に対応している。
【０１００】
フォトディテクタ４３は、検出領域４３Ａ、４３Ｂ、４３Ｃ及び４３Ｄにより赤色反射光ビームＬｒ１ｅの一部をそれぞれ検出し、このとき検出した光量に応じて検出信号ＳＤ１Ａ、ＳＤ１Ｂ、ＳＤ１Ｃ及びＳＤ１Ｄをそれぞれ生成して、これらを信号処理部２３（図６）へ送出する。
【０１０１】
信号処理部２３は、いわゆる非点収差法によるフォーカス制御を行うようになされており、次に示す（３）式に従ってフォーカスエラー信号ＳＦＥ１を算出し、これを駆動制御部２２へ供給する。
【０１０２】
【数３】
2008097754.tif 000005
【０１０３】
このフォーカスエラー信号ＳＦＥ１は、赤色光ビームＬｒ１の焦点Ｆｒ１と光ディスク１００の反射透過膜１０４とのずれ量を表すことになる。
【０１０４】
また信号処理部２３は、いわゆるプッシュプル法によるトラッキング制御を行うようになされており、次に示す（４）式に従ってトラッキングエラー信号ＳＴＥ１を算出し、これを駆動制御部２２へ供給する。
【０１０５】
【数４】
2008097754.tif 000006
【０１０６】
このトラッキングエラー信号ＳＴＥ１は、赤色光ビームＬｒ１の焦点Ｆｒ１と光ディスク１００の反射透過膜１０４における目標トラックとのずれ量を表すことになる。
【０１０７】
さらに信号処理部２３は、検出信号ＳＤ１Ａ、ＳＤ１Ｂ、ＳＤ１Ｃ及びＳＤ１Ｄを基に、光ディスク１００の傾き（スキュー又はチルトとも呼ぶ）の大きさを表すチルトエラー信号ＳＬＥ１を生成し、これを駆動制御部２２へ供給する。
【０１０８】
因みに信号処理部２３は、検出信号ＳＤ１Ａ、ＳＤ１Ｂ、ＳＤ１Ｃ及びＳＤ１Ｄを全て加算することにより再生ＲＦ信号ＳＲＦ１を生成し、これを駆動制御部２２及び制御部２１へ送出するようになされている。これに応じて駆動制御部２２及び制御部２１は、赤色光ビームＬｒ１の焦点Ｆｒ１が位置しているトラックのアドレスを認識し得るようになされている。
【０１０９】
駆動制御部２２は、フォーカスエラー信号ＳＦＥ１を基にフォーカス駆動信号ＳＦＤ１を生成し、当該フォーカス駆動信号ＳＦＤ１を３軸アクチュエータ３８Ａへ供給することにより、赤色光ビームＬｒ１が光ディスク１００の反射透過膜１０４に合焦するよう、対物レンズ３８をフィードバック制御（すなわちフォーカス制御）する。
【０１１０】
また駆動制御部２２は、トラッキングエラー信号ＳＴＥ１を基にトラッキング駆動信号ＳＴＤ１を生成し、当該トラッキング駆動信号ＳＴＤ１を３軸アクチュエータ３８Ａへ供給することにより、赤色光ビームＬｒ１が光ディスク１００の反射透過膜１０４における目標トラックに合焦するよう、対物レンズ３８をフィードバック制御（すなわちトラッキング制御）する。
【０１１１】
さらに駆動制御部２２は、チルトエラー信号ＳＬＥｒ１を基にチルト駆動信号ＳＬＤ１を生成し、当該チルト駆動信号ＳＬＤ１を３軸アクチュエータ３８Ａへ供給することにより、赤色光ビームＬｒ１が光ディスク１００に対してほぼ垂直に入射するよう、対物レンズ３８をフィードバック制御（すなわちチルト制御）する。
【０１１２】
このように第１面位置制御光学系３０は、赤色光ビームＬｒ１を光ディスク１００の反射透過膜１０４に照射し、その反射光である赤色反射光ビームＬｒ１ｅの受光結果を信号処理部２３へ供給するようになされている。これに応じて駆動制御部２２は、当該赤色光ビームＬｒ１を当該反射透過膜１０４の目標トラックに合焦させるよう、対物レンズ３８のフォーカス制御及びトラッキング制御を行い、さらにチルト制御を行うようになされている。
【０１１３】
（３−２）第１面情報光学系の構成
第１面情報光学系５０は、光ディスク１００の第１面１００Ａに対して青色光ビームＬｂ１を照射するようになされており、また当該光ディスク１００から入射される青色光ビームＬｂ２又は青色再生光ビームＬｂ３を受光するようになされている。
【０１１４】
（３−２−１）青色光ビームの照射
図１１において第１面情報光学系５０のレーザダイオード５１は、波長約４０５［ｎｍ］の青色レーザ光を射出し得るようになされている。実際上レーザダイオード５１は、制御部２１（図６）の制御に基づいて発散光でなる青色光ビームＬｂ０を射出し、コリメータレンズ５２へ入射させる。コリメータレンズ５２は、青色光ビームＬｂ０を発散光から平行光に変換し、１／２波長板５３へ入射させる。
【０１１５】
このとき青色光ビームＬｂ０は、１／２波長板５３により偏光方向が所定角度回転され、アナモプリズム５４により強度分布が成形された後、偏光ビームスプリッタ５５の面５５Ａに入射される。
【０１１６】
偏光ビームスプリッタ５５は、反射透過面５５Ｓにおいて、光ビームの偏光方向により異なる割合で当該光ビームを反射又は透過するようになされている。例えば反射透過面５５Ｓは、ｐ偏光の光ビームを約５０％の割合で反射すると共に残りの５０％を透過し、ｓ偏光の光ビームを約１００％の割合で透過するようになされている。
【０１１７】
実際上、偏光ビームスプリッタ５５は、反射透過面５５Ｓにより、ｐ偏光でなる青色光ビームＬｂ０を約５０％の割合で反射し、面５５Ｂから１／４波長板５６へ入射させると共に、残りの５０％を透過し、面５５Ｄからシャッタ７１へ入射させる。以下では、反射透過面５５Ｓにより反射された青色光ビームを青色光ビームＬｂ１、反射透過面５５Ｓを透過した青色光ビームを青色光ビームＬｂ２と呼ぶ。
【０１１８】
１／４波長板５６は、青色光ビームＬｂ１を直線偏光から円偏光に変換して可動ミラー５７へ照射し、また当該可動ミラー５７により反射され青色光ビームＬｂ１を円偏光から直線偏光に変換し、再度偏光ビームスプリッタ５５の面５５Ｂへ入射させる。
【０１１９】
このとき青色光ビームＬｂ１は、例えば１／４波長板５６によりｐ偏光から左円偏光に変換され、可動ミラー５７により反射された際に左円偏光から右円偏光に変換された後、再度１／４波長板５６により右円偏光からｓ偏光に変換される。すなわち青色光ビームＬｂ１は、面５５Ｂから出射されたときと可動ミラー５７により反射された後に当該面５５Ｂに入射されるときとで、互いの偏光方向が異なることになる。
【０１２０】
偏光ビームスプリッタ５５は、面５５Ｂから入射された青色光ビームＬｂ１の偏光方向（ｓ偏光）に応じて、反射透過面５５Ｓにより当該青色光ビームＬｂ１をそのまま透過させ、面５５Ｃから偏光ビームスプリッタ５８へ入射させるようになされている。
【０１２１】
この結果、第１面情報光学系５０は、偏光ビームスプリッタ５５、１／４波長板５６及び可動ミラー５７により、青色光ビームＬｂ１の光路長を引き延ばすことになる。
【０１２２】
偏光ビームスプリッタ５８の反射透過面５５Ｓは、例えばｐ偏光の光ビームを約１００％の割合で反射し、ｓ偏光の光ビームを約１００％の割合で透過するようになされている。実際上、偏光ビームスプリッタ５８は、反射透過面５８Ｓにおいて青色光ビームＬｂ１をそのまま透過させ、１／４波長板５９により直線偏光（ｓ偏光）から円偏光（右円偏光）に変換させた上で、リレーレンズ６０へ入射させる。
【０１２３】
リレーレンズ６０は、可動レンズ６１により青色光ビームＬｂ１を平行光から収束光に変換し、収束後に発散光となった当該青色光ビームＬｂ１を固定レンズ６２により再度収束光に変換し、ダイクロックプリズム３７へ入射させる。
【０１２４】
ここで可動レンズ６１は、アクチュエータ６１Ａにより青色光ビームＬｂ１の光軸方向に移動されるようになされている。実際上、リレーレンズ６０は、駆動制御部２２（図６）の制御に基づきアクチュエータ６１Ａによって可動レンズ６１を移動させることにより、固定レンズ６２から出射される青色光ビームＬｂ１の収束状態を変化させ得るようになされている。
【０１２５】
ダイクロックプリズム３７は、青色光ビームＬｂ１の波長に応じて、反射透過面３７Ｓにより当該青色光ビームＬｂ１を反射し、これを対物レンズ３８へ入射させる。因みに青色光ビームＬｂ１は、反射透過面３７Ｓにおいて反射されるときに円偏光における偏光方向が反転され、例えば右円偏光から左円偏光に変換される。
【０１２６】
対物レンズ３８は、青色光ビームＬｂ１を集光し、光ディスク１００の第１面１００Ａへ照射する。因みに対物レンズ３８は、青色光ビームＬｂ１に関しては、リレーレンズ６０との光学的な距離等の関係により、開口数（ＮＡ）が０．５の集光レンズとして作用することになる。
【０１２７】
このとき青色光ビームＬｂ１は、図５（Ｂ）に示したように、基板１０２及び反射透過膜１０４を透過し、記録層１０１内に合焦する。ここで当該青色光ビームＬｂ１の焦点Ｆｂ１の位置は、リレーレンズ６０の固定レンズ６２から出射される際の収束状態により定められることになる。すなわち焦点Ｆｂ１は、可動レンズ６１の位置に応じて記録層１０１内の第１面１００Ａ側又は第２面１００Ｂ側へ移動することになる。
【０１２８】
具体的に第１面情報光学系５０は、可動レンズ６１の移動距離と青色光ビームＬｂ１の焦点Ｆｂ１の移動距離とがほぼ比例関係となるように設計されており、例えば可動レンズ６１を１［ｍｍ］移動させると、青色光ビームＬｂ１の焦点Ｆｂ１が３０［μｍ］移動するようになされている。
【０１２９】
実際上、第１面情報光学系５０は、駆動制御部２２（図６）により可動レンズ６１の位置が制御されることにより、光ディスク１００の記録層１０１内における青色光ビームＬｂ１の焦点Ｆｂ１（図５（Ｂ））の深さｄ１（すなわち反射透過膜１０４からの距離）を調整するようになされている。
【０１３０】
青色光ビームＬｂ１は、焦点Ｆｂ１に収束した後に発散光となり、記録層１０１及び基板１０３を透過し、第２面１００Ｂから出射されて、対物レンズ７８へ入射される。
【０１３１】
このように第１面情報光学系５０は、青色光ビームＬｂ１を光ディスク１００の第１面１００Ａ側から照射して記録層１０１内に当該青色光ビームＬｂ１の焦点Ｆｂ１を位置させ、さらにリレーレンズ６０における可動レンズ６１の位置に応じて、当該焦点Ｆｂ１の深さｄ１を調整するようになされている。
【０１３２】
（３−２−２）青色光ビームの受光
ところで光ディスク１００は、対物レンズ７８から第２面１００Ｂへ照射される青色光ビームＬｂ２を透過し、第１面１００Ａから発散光として出射するようになされている（詳しくは後述する）。因みに青色光ビームＬｂ２は、円偏光（例えば右円偏光）となるようになされている。
【０１３３】
このとき第１面情報光学系５０では、図１２に示すように、青色光ビームＬｂ２が対物レンズ３８によりある程度収束された後、ダイクロックプリズム３７により反射され、リレーレンズ６０へ入射される。因みに青色光ビームＬｂ２は、反射透過面３７Ｓにおいて反射される際、円偏光における偏光方向が反転され、例えば右円偏光から左円偏光に変換される。
【０１３４】
続いて青色光ビームＬｂ２は、リレーレンズ６０の固定レンズ６２及び可動レンズ６１によって平行光に変換され、さらに１／４波長板５９により円偏光（左円偏光）から直線偏光（ｐ偏光）に変換された上で、偏光ビームスプリッタ５８へ入射される。
【０１３５】
偏光ビームスプリッタ５８は、青色光ビームＬｂ２の偏光方向に応じて当該青色光ビームＬｂ２を反射し、集光レンズ６３へ入射させる。集光レンズ６３は、青色光ビームＬｂ２を集光し、フォトディテクタ６４へ照射させる。
【０１３６】
因みに、第１面情報光学系５０内の各光学部品は、青色光ビームＬｂ２がフォトディテクタ６４に合焦するよう配置されている。
【０１３７】
フォトディテクタ６４は、青色光ビームＬｂ２の光量を検出し、このとき検出した光量に応じて再生検出信号ＳＤｐを生成し、これを信号処理部２３（図６）へ供給する。
【０１３８】
但し、このとき当該フォトディテクタ６４において青色光ビームＬｂ２の光量に応じて生成される再生検出信号ＳＤｐには、特に用途がない。このため信号処理部２３は、当該再生検出信号ＳＤｐが供給されるものの、特に信号処理を行わないようになされている。
【０１３９】
一方、光ディスク１００は、記録層１０１に記録マークＲＭが記録されていた場合、上述したように、青色光ビームＬｂ１の焦点Ｆｂ１が当該記録マークＲＭに合焦されると、ホログラムとしての性質により、当該記録マークＲＭから青色再生光ビームＬｂ３を発生することになる。
【０１４０】
この青色再生光ビームＬｂ３は、ホログラムの原理上、当該記録マークＲＭが記録された際に青色光ビームＬｂ１の他に照射されていた光ビーム、すなわち青色光ビームＬｂ２を再現したものとなる。従って青色再生光ビームＬｂ３は、第１面情報光学系５０内において青色光ビームＬｂ２と同様の光路を経ることにより、最終的にフォトディテクタ６４へ照射される。
【０１４１】
ここで第１面情報光学系５０内の各光学部品は、上述したように、青色光ビームＬｂ２がフォトディテクタ６４に合焦するよう配置されている。このため青色再生光ビームＬｂ３は、当該青色光ビームＬｂ２と同様に当該フォトディテクタ６４に合焦する。
【０１４２】
フォトディテクタ６４は、青色光ビームＬｂ３の光量を検出し、このとき検出した光量に応じて再生検出信号ＳＤｐを生成し、これを信号処理部２３（図６）へ供給する。
【０１４３】
この場合、再生検出信号ＳＤｐは、光ディスク１００に記録されている情報を表すものとなる。このため信号処理部２３は、再生検出信号ＳＤｐに対して所定の復調処理や復号化処理等を施すことにより再生情報を生成し、この再生情報を制御部２１へ供給するようになされている。
【０１４４】
このように第１面情報光学系５０は、光ディスク１００の第１面１００Ａから対物レンズ３８へ入射される青色光ビームＬｂ２又は青色再生光ビームＬｂ３を受光し、その受光結果を信号処理部２３へ供給するようになされている。
【０１４５】
（３−３）第２面位置制御光学系の構成
第２面位置制御光学系７０（図８）は、光ディスク１００を挟んで第１面位置制御光学系３０と対称的な構成を有しており、光ディスク１００の第２面１００Ｂに対して赤色光ビームＬｒ２を照射し、当該光ディスク１００により当該赤色光ビームＬｒ２が反射されてなる赤色反射光ビームＬｒ２ｅを受光するようになされている。
【０１４６】
図１３において第２面位置制御光学系７０は、第１面位置制御光学系３０のレーザダイオード３１、コリメータレンズ３２、スリット３３、無偏光ビームスプリッタ３４、補正レンズ３５及び３６、ダイクロックプリズム３７、対物レンズ３８、ミラー４０、集光レンズ４１、シリンドリカルレンズ４２及びフォトディテクタ４３とそれぞれ同様の構成でなるレーザダイオード７１、コリメータレンズ７２、スリット７３、無偏光ビームスプリッタ７４、補正レンズ７５及び７６、ダイクロックプリズム７７、対物レンズ７８、ミラー８０、集光レンズ８１、シリンドリカルレンズ８２及びフォトディテクタ８３を有している。
【０１４７】
また対物レンズ７８は、対物レンズ３８と同様、３軸アクチュエータ７８Ａにより、フォーカス方向、トラッキング方向及びチルト方向の３軸方向へ駆動され得るようになされている。
【０１４８】
かかる構成により第２面位置制御光学系７０は、赤色光ビームＬｒ１と同様の波長約６６０［ｎｍ］でなる赤色光ビームＬｒ２を光ディスク１００の第２面１００Ｂへ向けて照射するようになされている。このとき赤色光ビームＬｒ２は、図５（Ｂ）に示したように、基板１０３を透過し反射透過膜１０５において反射され、赤色光ビームＬｒ２と反対方向へ向かう赤色反射光ビームＬｒ２ｅとなる。
【０１４９】
赤色反射光ビームＬｒ２ｅ（図１３）は、対物レンズ７８、ダイクロックプリズム７７、補正レンズ７６及び７５を順次透過して平行光にされた後、無偏光ビームスプリッタ７４により約５０％の割合で反射されミラー８０により再度反射されて、集光レンズ８１へ入射される。
【０１５０】
集光レンズ８１は、赤色反射光ビームＬｒ２ｅを収束させ、シリンドリカルレンズ８２により非点収差を持たせた上で当該赤色反射光ビームＬｒ２ｅをフォトディテクタ８３へ照射する。
【０１５１】
フォトディテクタ８３は、図１０と対応する図１４に示すように、赤色反射光ビームＬｒ２ｅが照射される面上に、格子状に分割された４つの検出領域８３Ａ、８３Ｂ、８３Ｃ及び８３Ｄを有している。因みに矢印ａ２により示される方向（図中の縦方向）は、赤色光ビームＬｒ２が反射透過膜１０５（図５Ｂ）に照射されるときの、トラックの走行方向に対応している。
【０１５２】
フォトディテクタ８３は、検出領域８３Ａ、８３Ｂ、８３Ｃ及び８３Ｄにより赤色反射光ビームＬｒ２ｅの一部をそれぞれ検出し、このとき検出した光量に応じて検出信号ＳＤ２Ａ、ＳＤ２Ｂ、ＳＤ２Ｃ及びＳＤ２Ｄをそれぞれ生成して、これらを信号処理部２３（図６）へ送出する。
【０１５３】
信号処理部２３は、いわゆる非点収差法によるフォーカス制御を行うようになされており、次に示す（５）式に従ってフォーカスエラー信号ＳＦＥ２を算出し、これを駆動制御部２２へ供給する。
【０１５４】
【数５】
2008097754.tif 000007
【０１５５】
このフォーカスエラー信号ＳＦＥ２は、赤色光ビームＬｒ２の焦点Ｆｒ２と光ディスク１００の反射透過膜１０５とのずれ量を表すことになる。
【０１５６】
また信号処理部２３は、いわゆるプッシュプル法によるトラッキング制御を行うようになされており、次に示す（６）式に従ってトラッキングエラー信号ＳＴＥ２を算出し、これを駆動制御部２２へ供給する。
【０１５７】
【数６】
2008097754.tif 000008
【０１５８】
このトラッキングエラー信号ＳＴＥ２は、赤色光ビームＬｒ２の焦点Ｆｒ２と光ディスク１００の反射透過膜１０５における目標トラックとのずれ量を表すことになる。
【０１５９】
さらに信号処理部２３は、検出信号ＳＤ２Ａ、ＳＤ２Ｂ、ＳＤ２Ｃ及びＳＤ２Ｄを基に、光ディスク１００の傾き（スキュー又はチルトとも呼ぶ）の大きさを表すチルトエラー信号ＳＬＥ２を生成し、これを駆動制御部２２へ供給する。
【０１６０】
因みに信号処理部２３は、第１面位置制御光学系３０の場合と同様、検出信号ＳＤ２Ａ、ＳＤ２Ｂ、ＳＤ２Ｃ及びＳＤ２Ｄを全て加算することにより再生ＲＦ信号ＳＲＦ２を生成し、これを駆動制御部２２及び制御部２１へ送出するようになされている。これに応じて駆動制御部２２及び制御部２１は、赤色光ビームＬｒ２の焦点Ｆｒ２が位置しているトラックのアドレスを認識し得るようになされている。
【０１６１】
駆動制御部２２は、フォーカスエラー信号ＳＦＥ２を基にフォーカス駆動信号ＳＦＤ２を生成し、当該フォーカス駆動信号ＳＦＤ２を３軸アクチュエータ７８Ａへ供給することにより、赤色光ビームＬｒ２が光ディスク１００の反射透過膜１０５に合焦するよう、対物レンズ７８をフィードバック制御（すなわちフォーカス制御）する。
【０１６２】
また駆動制御部２２は、トラッキングエラー信号ＳＴＥ２を基にトラッキング駆動信号ＳＴＤ２を生成し、当該トラッキング駆動信号ＳＴＤ２を３軸アクチュエータ７８Ａへ供給することにより、赤色光ビームＬｒ２が光ディスク１００の反射透過膜１０５における目標トラックに合焦するよう、対物レンズ７８をフィードバック制御（すなわちトラッキング制御）する。
【０１６３】
さらに駆動制御部２２は、チルトエラー信号ＳＬＥ２を基にチルト駆動信号ＳＬＤ２を生成し、当該チルト駆動信号ＳＬＤ２を３軸アクチュエータ７８Ａへ供給することにより、赤色光ビームＬｒ２が光ディスク１００に対してほぼ垂直に入射するよう、対物レンズ７８をフィードバック制御（すなわちチルト制御）する。
【０１６４】
このように第２面位置制御光学系７０は、第１面位置制御光学系３０と対称に、赤色光ビームＬｒ２を光ディスク１００の反射透過膜１０５に照射し、その反射光である赤色反射光ビームＬｒ２ｅの受光結果を信号処理部２３へ供給するようになされている。これに応じて駆動制御部２２は、当該赤色光ビームＬｒ２を当該反射透過膜１０５の目標トラックに合焦させるよう、対物レンズ７８のフォーカス制御及びトラッキング制御を行い、さらにチルト制御を行うようになされている。
【０１６５】
（３−４）第２面情報光学系の構成
第２面情報光学系９０（図８）は、光ディスク１００の第２面１００Ｂに対して青色光ビームＬｂ２を照射するようになされている。
【０１６６】
図１３において第１面情報光学系５０の偏光ビームスプリッタ５５は、上述したように、反射透過面５５Ｓにおいてｐ偏光でなる青色光ビームＬｂ０を約５０％の割合で透過し、これを青色光ビームＬｂ２として面５５Ｄからシャッタ９１へ入射させる。
【０１６７】
シャッタ９１は、制御部２１（図６）の制御に基づいて青色光ビームＬｂ２を遮断又は透過するようになされており、当該青色光ビームＬｂ２を透過した場合、ミラー９３により反射させた後、１／４波長板９４により直線偏光（ｐ偏光）から円偏光（左円偏光）に変換させた上で、リレーレンズ９５へ入射させる。
【０１６８】
因みにシャッタ７１としては、例えば青色光ビームＬｂ２を遮断する遮断板を機械的に動かすことにより青色光ビームＬｂ２を遮断又は透過する機械式シャッタや、液晶パネルに印加する電圧を変化することにより当該青色光ビームＬｂ２を遮断又は透過する液晶シャッタ等を用いることができる。
【０１６９】
リレーレンズ９５は、リレーレンズ６０と同様に構成されており、可動レンズ６１、アクチュエータ６１Ａ及び固定レンズ６２とそれぞれ対応する可動レンズ９６、アクチュエータ９６Ａ及び固定レンズ９７を有している。
【０１７０】
リレーレンズ９５は、可動レンズ９６により青色光ビームＬｂ２を平行光から収束光に変換し、収束後に発散光となった当該青色光ビームＬｂ２を固定レンズ９７により再度収束光に変換し、ダイクロックプリズム７７へ入射させる。
【０１７１】
またリレーレンズ９５は、リレーレンズ６０と同様、駆動制御部２２（図６）の制御に基づきアクチュエータ９６Ａによって可動レンズ９６を移動させることにより、固定レンズ９７から出射される青色光ビームＬｂ２の収束状態を変化させ得るようになされている。
【０１７２】
ダイクロックプリズム７７は、その波長に応じて青色光ビームＬｂ２を反射し、対物レンズ７８へ入射させる。因みに青色光ビームＬｂ２は、反射されるときに円偏光における偏光方向が反転され、例えば左円偏光から右円偏光に変換される。
【０１７３】
対物レンズ７８は、青色光ビームＬｂ２を集光し、光ディスク１００の第２面１００Ｂへ照射する。このとき青色光ビームＬｂ２は、図５（Ｂ）に示したように、基板１０３及び反射透過膜１０５を透過して記録層１０１内に合焦する。ここで当該青色光ビームＬｂ２の焦点Ｆｂ２の位置は、リレーレンズ９５の固定レンズ９７から出射される際の収束状態により定められることになる。すなわち当該焦点Ｆｂ２は、青色光ビームＬｂ１の焦点Ｆｂ１と同様、可動レンズ９６の位置に応じて記録層１０１内の第１面１００Ａ側又は第２面１００Ｂ側へ移動することになる。
【０１７４】
具体的に第２面情報光学系９０は、第１面情報光学系５０と同様、可動レンズ９６の移動距離と青色光ビームＬｂ２の焦点Ｆｂ２の移動距離とがほぼ比例関係となるように設計されており、例えば可動レンズ９６を１［ｍｍ］移動させると、青色光ビームＬｂ２の焦点Ｆｂ２が３０［μｍ］移動するようになされている。
【０１７５】
実際上、第２面情報光学系９０は、制御部２１（図６）によってリレーレンズ６０における可動レンズ６１の位置と共にリレーレンズ９５における可動レンズ９６の位置が制御されることにより、光ディスク１００の記録層１０１内における青色光ビームＬｂ２の焦点Ｆｂ２（図１０）の深さｄ２を調整するようになされている。
【０１７６】
このとき光ディスク装置２０では、制御部２１（図６）の制御により、光ディスク１００に面ブレ等が発生していないと仮定したとき（すなわち理想的な状態の場合）、記録層１０１内において、青色光ビームＬｂ１の焦点Ｆｂ１及び青色光ビームＬｂ２の焦点Ｆｂ２を目標マーク位置に位置させるようになされている。
【０１７７】
青色光ビームＬｂ２は、焦点Ｆｂ２において合焦した後、発散しながら記録層１０１、反射透過膜１０４及び基板１０２を透過し、第１面１００Ａから出射されて、対物レンズ３８へ入射されるようになされている。
【０１７８】
このように第２面情報光学系９０は、青色光ビームＬｂ２を光ディスク１００の第２面１００Ｂ側から照射して記録層１０１内に当該青色光ビームＬｂ２の焦点Ｆｂ２を位置させ、さらにリレーレンズ９５における可動レンズ９６の位置に応じて、当該焦点Ｆｂ２の深さｄ２を調整するようになされている。
【０１７９】
（３−５）光路長の調整
ところで光ディスク装置２０の光ピックアップ２６は、情報を記録する際、上述したように、偏光ビームスプリッタ５５（図１２）により、青色光ビームＬｂ０から青色光ビームＬｂ１及びＬｂ２を分離し、光ディスク１００の記録層１０１内で当該青色光ビームＬｂ１及びＬｂ２を互いに干渉させることにより、当該記録層１０１内の目標マーク位置に記録マークＲＭを記録させるようになされている。
【０１８０】
この青色光ビームＬｂ０を出射するレーザダイオード５１は、一般的なホログラムの形成条件に従い、光ディスク１００の記録層１０１にホログラムとしての記録マークＲＭが正しく記録されるために、当該青色光ビームＬｂ０のコヒーレント長をホログラムサイズ（すなわち記録マークＲＭの高さＲＭｈ）以上とする必要がある。
【０１８１】
実際上レーザダイオード５１では、一般的なレーザダイオードと同様、このコヒーレント長が、当該レーザダイオード５１内に設けられた共振器（図示せず）の長さに当該共振器の屈折率を乗じた値にほぼ相当するため、およそ１００［μｍ］から１［ｍｍ］程度であると考えられる。
【０１８２】
一方、光ピックアップ２６では、青色光ビームＬｂ１が第１面情報光学系５０（図１２）内の光路を通り、光ディスク１００の第１面１００Ａ側から照射されると共に、青色光ビームＬｂ２が第２面光学系７０（図１３）内の光路を通り、光ディスク１００の第２面１００Ｂ側から照射される。すなわち光ピックアップ２６では、青色光ビームＬｂ１及びＬｂ２の光路が互いに異なっているため、その光路長（すなわちレーザダイオード５１から目標マーク位置までの光路の長さ）に差が生じることになる。
【０１８３】
さらに光ピックアップ２６では、上述したように、リレーレンズ６０及び７５における可動レンズ６１及び７６の位置を調整することにより、光ディスク１００の記録層１０１内における目標マーク位置の深さ（目標深さ）を変更するようになされている。このとき光ピックアップ２６は、目標マーク位置の深さを変更することにより、結果的に青色光ビームＬｂ１及びＬｂ２の光路長をそれぞれ変化させることになる。
【０１８４】
しかしながら、光ピックアップ２６において干渉パターンが形成されるには、一般的なホログラムの形成条件により、当該青色光ビームＬｂ１及びＬｂ２における光路長の差がコヒーレント長（すなわちおよそ１００［μｍ］から１［ｍｍ］）以下となる必要がある。
【０１８５】
そこで駆動制御部２２（図６）は、可動ミラー５７の位置を制御することにより、青色光ビームＬｂ１の光路長を調整するようになされている。この場合、駆動制御部２２は、リレーレンズ６０における可動レンズ６１の位置と目標マーク位置の深さとの関係を利用し、当該可動レンズ６１の位置に応じて可動ミラー５７を移動させることにより、当該青色光ビームＬｂ１の光路長を変化させるようになされている。
【０１８６】
この結果、光ピックアップ２６では、青色光ビームＬｂ１及びＬｂ２における光路長の差をコヒーレント長以下に抑えることができ、記録層１０１内の目標マーク位置に良好なホログラムでなる記録マークＲＭを記録することができる。
【０１８７】
このように光ディスク装置２０の駆動制御部２２は、可動ミラー５７の位置を制御することにより、光ピックアップ２６内の青色光ビームＬｂ１及びＬｂ２における光路長の差をコヒーレント長以下に抑え、この結果として光ディスク１００の記録層１０１内における目標マーク位置に良好な記録マークＲＭを記録し得るようになされている。
【０１８８】
（４）情報の記録及び再生
次に、光ディスク装置２０により光ディスク１００に対して情報を記録する場合、及び光ディスク１００から情報を再生する場合について、それぞれ詳細に説明する。
【０１８９】
（４−１）光ディスクに対する情報の記録
まず、光ディスク１００に対して情報を記録する場合における光ディスク装置２０について、その一部を抜粋した構成を図６及び図８との対応箇所に同一符号を付した図１５に示す。
【０１９０】
光ディスク装置２０の制御部２１は、光ディスク１００に情報を記録する場合、上述したように、外部機器（図示せず）等から情報記録命令、記録情報及び記録アドレス情報を受け付けると、駆動命令及び記録アドレス情報を駆動制御部２２へ供給すると共に、記録情報を信号処理部２３へ供給する。
【０１９１】
また制御部２１は、光ピックアップ２６の第１面位置制御光学系３０（図９）により赤色光ビームＬｒ１を光ディスク１００の第１面１００Ａ側から照射させる。このとき信号処理部２３は、フォトディテクタ４３による赤色反射光ビームＬｒ１ｅの検出結果を基に、再生ＲＦ信号ＳＲＦ１及びフォーカスエラー信号ＳＦＥ１を生成し、これらを制御部２１及び駆動制御部２２へ送出する。
【０１９２】
さらに制御部２１は、光ピックアップ２６の第２面位置制御光学系７０（図１３）により赤色光ビームＬｒ２を光ディスク１００の第２面１００Ｂ側から照射させる。このとき信号処理部２３は、フォトディテクタ８３による赤色反射光ビームＬｒ２ｅの検出結果を基に、再生ＲＦ信号ＳＲＦ２及びフォーカスエラー信号ＳＦＥ２を生成し、これらを制御部２１及び駆動制御部２２へ送出する。
【０１９３】
そのうえ制御部２１は、第１面情報光学系５０（図１１）により、青色光ビームＬｂ１を光ディスク１００の第１面１００Ａ側から対物レンズ３８を介して照射させると共に、シャッタ９１を制御して青色光ビームＬｂ２を透過させた上で、第２面情報光学系９０（図１２）により、青色光ビームＬｂ２を光ディスク１００の第２面１００Ｂ側から対物レンズ７８を介して照射させる。
【０１９４】
制御部２１のアドレス算出部２１Ａは、信号処理部２３から供給される再生ＲＦ信号ＳＲＦ１及びＳＲＦ２を基に、赤色光ビームＬｒ１の焦点Ｆｒ１及び赤色光ビームＬｒ２の焦点Ｆｒ２が実際に位置しているトラックのアドレスを算出し、これを記録層位置算出部２１Ｂへ送出する。
【０１９５】
またアドレス算出部２１Ａは、信号処理部２３から供給されるフォーカスエラー信号ＳＦＥ１及びＳＦＥ２と、駆動制御部２２から供給される対物レンズ３８及び７８のフォーカス方向に関する位置情報とを基に、現在のアドレスにおける光ディスク１００の記録層１０１の厚さｔ１を算出し、これを記録層位置算出部２１Ｂへ供給する。
【０１９６】
記録層位置算出部２１Ｂは、外部機器（図示せず）からの記録アドレス情報と現在のアドレス情報とを基に、記録マークＲＭを記録すべきマーク記録層の番号ｉを決定し、これを層オフセット決定部２１Ｃへ供給する。
【０１９７】
ところで図１６に示すように、光ディスク１００の記録層１０１内では、ｉ番目のマーク記録層により反射透過膜１０４側と反射透過膜１０５側との間をｍ：（１−ｍ）に内分すると見なすことができ、このとき当該ｉ番目のマーク記録層の位置を比率ｍ（但し０≦ｍ≦１）を用いて表すことができる。
【０１９８】
一方、記録層１０１内では、青色光ビームＬｂ１及びＬｂ２の透過率及び記録材料の特性等を考慮すると、マーク記録層同士の間隔を等間隔とせず、例えば反射透過膜１０４及び１０５の近傍と中央付近とで当該間隔を変化させた方が、より良好な記録マークＲＭを形成し得ると考えられる。
【０１９９】
因みに当該間隔を変化させる場合、具体的には、記録層１０１を構成する材料の特性等に応じて、当該反射透過膜１０４及び１０５の近傍よりも中央付近を狭くし、或いは反対に当該中央付近を広くすること等が想定される。
【０２００】
そこで光ディスク装置２０（図１５）では、マーク記録層の番号ｉごとに比率ｍを不等間隔に定め、当該マーク記録層の番号ｉと当該比率ｍとの対応関係を比率テーブルＴＢＬとして予め記憶部２１Ｄに記憶するようになされている。
【０２０１】
実際上、層オフセット決定部２１Ｃは、マーク記録層の番号ｉに応じた比率ｍを記憶部２１ＤのテーブルＴＢＬから読み出し、当該比率ｍ、記録層１０１の厚さｔ１及びマーク記録層の総数Ｎを用いて、次に示す（７）式及び（８）式に従って距離ｔ１１及び距離ｔ１２を算出し、これらを駆動制御部２２へ供給する。
【０２０２】
【数７】
2008097754.tif 000009
【０２０３】
【数８】
2008097754.tif 000010
【０２０４】
駆動制御部２２は、この距離ｔ１１に応じた電圧でなる第１面可動レンズ駆動信号ＳＤＬ１を生成し、これを可動レンズ６１のアクチュエータ６１Ａへ供給することにより当該可動レンズ６１を駆動させ、赤色光ビームＬｒ１の焦点Ｆｒ１と青色光ビームＬｂ１の焦点Ｆｂ１との間隔を距離ｔ１１（図１６）に調整させる。
【０２０５】
同様に駆動制御部２２（図１５）は、距離ｔ１２に応じた電圧でなる第２面可動レンズ駆動信号ＳＤＬ２を生成し、これを可動レンズ９６のアクチュエータ９６Ａへ供給することにより当該可動レンズ９６を駆動させ、赤色光ビームＬｒ２の焦点Ｆｒ２と青色光ビームＬｂ２の焦点Ｆｂ２との間隔を距離ｔ１２（図１６）に調整させる。
【０２０６】
そのうえで駆動制御部２２は、光ピックアップ２６の第１面位置制御光学系３０（図９）によって対物レンズ３８のフォーカス制御及びトラッキング制御を行うことにより、赤色光ビームＬｒ１の焦点Ｆｒ１を反射透過膜１０４上の目標トラックに追従させる。
【０２０７】
このとき駆動制御部２２は、リレーレンズ６０の可動レンズ６１により赤色光ビームＬｒ１の焦点Ｆｒ１と青色光ビームＬｂ１の焦点Ｆｂ１との間隔を距離ｔ１１に調整しているため、当該焦点Ｆｂ１を目標マーク位置に合わせることができる。
【０２０８】
また駆動制御部２２は、光ピックアップ２６の第２面位置制御光学系７０（図１３）によって対物レンズ７８のフォーカス制御及びトラッキング制御を行うことにより、赤色光ビームＬｒ２の焦点Ｆｒ２を反射透過膜１０５上の目標トラックに追従させる。
【０２０９】
このとき駆動制御部２２は、リレーレンズ９５の可動レンズ９６により赤色光ビームＬｒ２の焦点Ｆｒ２と青色光ビームＬｂ２の焦点Ｆｂ２との間隔を距離ｔ１２に調整しているため、焦点Ｆｂ１と同様、当該焦点Ｆｂ２も目標マーク位置に合わせることができる。
【０２１０】
そのうえ制御部２１は、リレーレンズ６０における可動レンズ６１の位置に応じて可動ミラー５７の位置を調整し、青色光ビームＬｂ１及びＬｂ２における光路長の差をコヒーレント長以下に抑える。
【０２１１】
この結果、光ディスク装置２０の制御部２１は、光ディスク１００の記録層１０１内の目標マーク位置に青色光ビームＬｂ１及びＬｂ２の焦点Ｆｂ１及びＦｂ２を合わせることができ、良好な記録マークＲＭを形成することができる。
【０２１２】
このとき光ディスク装置２０の制御部２１は、反射透過膜１０４及び１０５上の目標トラックを指標として、両者を結ぶ仮想線上を比率ｍ：（１−ｍ）に内分することになり、正しい目標マーク位置を高い精度で認識することができる。
【０２１３】
ところで光ディスク装置２０は、光ディスク１００に反りや面ブレ等が生じた場合、当該光ディスク装置２０に対して当該光ディスク１００が傾き（いわゆるスキュー）を有することになる。
【０２１４】
この場合、図１７（Ａ）に示すように、赤色光ビームＬｒ１の焦点Ｆｒ１及び赤色光ビームＬｒ２の焦点Ｆｒ２をそれぞれ反射透過膜１０４及び１０５の目標トラックに合わせるだけでは、青色光ビームＬｂ１の焦点Ｆｂ１及び青色光ビームＬｂ２の焦点Ｆｂ２をいずれも目標マーク位置に合わせることができない。
【０２１５】
そこで光ディスク装置２０は、駆動制御部２２により対物レンズ３８及び７８に対して上述したチルト制御をそれぞれ行うことにより、図１７（Ｂ）に示すように、赤色光ビームＬｒ１及びＬｒ２の光軸Ｌｘ１及びＬｘ２を光ディスク１００に対してそれぞれ垂直に維持することができる。
【０２１６】
また光ディスク１００の反射透過膜１０４及び１０５は、上述したように、互いのトラックについて、当該光ディスク１００の厚さ方向に関する対応位置に同一のアドレスが割り振られている。この結果、光ディスク装置２０は、光ディスク１００が傾きを有していたとしても、青色光ビームＬｂ１の焦点Ｆｂ１及び青色光ビームＬｂ２の焦点Ｆｂ２をいずれも目標マーク位置に合わせることができる。
【０２１７】
因みに信号処理部２３（図６）は、外部機器（図示せず）等から供給される記録情報を基に、例えば値「０」又は「１」のバイナリデータを表す記録信号を生成する。これに応じてレーザダイオード５１は、例えば記録信号が値「１」である時に青色光ビームＬｂ０を出射し、記録信号が値「０」である時に青色光ビームＬｂ０を出射しないようになされている。
【０２１８】
これにより光ディスク装置２０では、記録信号が値「１」のときには光ディスク１００の記録層１０１内の目標マーク位置に記録マークＲＭを形成し、当該記録信号が値「０」のときには当該目標マーク位置に当該記録マークＲＭを形成しないことになるため、当該記録マークＲＭの有無により当該目標マーク位置に記録信号の値「１」又は「０」を記録することができ、結果的に記録情報を光ディスク１００の記録層１０１に記録することができる。
【０２１９】
（４−２）光ディスクからの情報の再生
次に、光ディスク１００から情報を再生する場合における光ディスク装置２０について、その一部を抜粋した構成を図１５と対応する図１８に示す。
【０２２０】
光ディスク装置２０の制御部２１は、光ディスク１００から情報を再生する場合、上述したように、外部機器（図示せず）等から情報再生命令及び再生アドレス情報を受け付けると、駆動命令及び再生アドレス情報を駆動制御部２２へ供給する。
【０２２１】
また制御部２１は、情報記録時と同様に、光ピックアップ２６の第１面位置制御光学系３０（図９）により赤色光ビームＬｒ１を光ディスク１００の第１面１００Ａ側から照射させると共に、光ピックアップ２６の第２面位置制御光学系７０（図１３）により赤色光ビームＬｒ２を光ディスク１００の第２面１００Ｂ側から照射させる。
【０２２２】
このとき信号処理部２３は、フォトディテクタ４３による赤色反射光ビームＬｒ１ｅの検出結果及びフォトディテクタ８３による赤色反射光ビームＬｒ２ｅの検出結果を基に、再生ＲＦ信号ＳＲＦ１及びＳＲＦ２、並びにフォーカスエラー信号ＳＦＥ１及びＳＦＥ２を生成し、これらを制御部２１及び駆動制御部２２へ送出する。
【０２２３】
さらに制御部２１は、第１面情報光学系５０（図１２）により青色光ビームＬｂ１を光ディスク１００の第１面１００Ａ側から照射させる。その一方で制御部２１は、情報記録時とは異なり、シャッタ９１を制御して青色光ビームＬｂ２を遮断することにより、当該青色光ビームＬｂ２を光ディスク１００に照射させないようにする。
【０２２４】
このとき制御部２１のアドレス算出部２１Ａは、再生ＲＦ信号ＳＲＦ１及びＳＲＦ２を基に、赤色光ビームＬｒ１の焦点Ｆｒ１及び赤色光ビームＬｒ２の焦点Ｆｒ２が実際に位置しているトラックのアドレスを算出し、さらに現在のアドレスにおける光ディスク１００の記録層１０１の厚さｔ１を算出し、これらを記録層位置算出部２１Ｂへ供給する。
【０２２５】
記録層位置算出部２１Ｂは、外部機器（図示せず）からの再生アドレス情報と現在のアドレス情報とを基に、再生すべき（すなわち青色光ビームＬｂ１及びＬｂ２の焦点Ｆｂ１及びＦｂ２を合わせるべき）マーク記録層の番号ｉを決定し、これを層オフセット決定部２１Ｃへ供給する。
【０２２６】
層オフセット決定部２１Ｃは、情報記録時と同様、マーク記録層の番号ｉに応じた比率ｍを記憶部２１ＤのテーブルＴＢＬから読み出し、当該比率ｍ、記録層１０１の厚さｔ１及びマーク記録層の総数Ｎを用いて、上述した（７）式に従って部分厚さｔ１１を算出し、これを駆動制御部２２へ供給する。
【０２２７】
駆動制御部２２は、この距離ｔ１１に応じた電圧でなる第１面可動レンズ駆動信号ＳＤＬ１を生成し、可動レンズ６１のアクチュエータ６１Ａへ供給することにより、図１９に示すように、赤色光ビームＬｒ１の焦点Ｆｒ１と青色光ビームＬｂ１の焦点Ｆｂ１との間隔を距離ｔ１１に調整させる。
【０２２８】
そのうえで駆動制御部２２は、光ピックアップ２６の第１面位置制御光学系３０（図９）によって対物レンズ３８のフォーカス制御及びトラッキング制御を行うことにより、赤色光ビームＬｒ１の焦点Ｆｒ１を反射透過膜１０４上の目標トラックに追従させる。
【０２２９】
このとき駆動制御部２２は、リレーレンズ６０の可動レンズ６１により赤色光ビームＬｒ１の焦点Ｆｒ１と青色光ビームＬｂ１の焦点Ｆｂ１との間隔を距離ｔ１１に調整しているため、当該焦点Ｆｂ１を目標マーク位置に合わせることができる。
【０２３０】
すなわち光ピックアップ２６は、光ディスク１００の記録層１０１内における目標マーク位置に記録されている記録マークＲＭに対して、いわゆる参照光としての青色光ビームＬｂ１のみを照射する。これに応じて当該記録マークＲＭは、ホログラムとして作用し、いわゆる再生光としての青色再生光ビームＬｂ３を第１面１００Ａ側へ発生させる。このとき第１面情報光学系５０は、この青色再生光ビームＬｂ３を検出し、その検出結果に応じた検出信号を生成する。
【０２３１】
この場合、光ディスク装置２０は、記録時と異なり、青色光ビームＬｂ２の焦点Ｆｂ２を目標マーク位置に照射するためではなく、青色光ビームＬｂ１の焦点Ｆｂ１を目標マーク位置に合わせるために、赤色光ビームＬｒ２を反射透過膜１０５の目標トラックに合焦させることになる。
【０２３２】
因みに制御部２１は、再生時におけるレーザダイオード５１の出射パワーを抑えることにより、青色光ビームＬｂ１による記録マークＲＭの誤消去を防止するようになされている。
【０２３３】
かくして光ディスク装置２０の制御部２１は、光ディスク１００の記録層１０１内における目標マーク位置に記録されている記録マークＲＭから青色再生光ビームＬｂ３を発生させ、これを受光することにより、記録マークＲＭが記録されていることを検出することができる。
【０２３４】
ところで光ディスク装置２０は、目標マーク位置に記録マークＲＭが記録されていなかった場合、当該目標マーク位置からは青色再生光ビームＬｂ３が発生しないため、第１面情報光学系５０により、当該青色再生光ビームＬｂ３を受光しなかったことを示す検出信号を生成することになる。
【０２３５】
これに応じて信号処理部２２は、検出信号を基に、青色再生光ビームＬｂ３が検出されたか否かを値「１」又は「０」として認識し、この認識結果を基に再生情報を生成する。
【０２３６】
これにより光ディスク装置２０では、光ディスク１００の記録層１０１内の目標マーク位置に記録マークＲＭが形成されているときには青色再生光ビームＬｂ３を受光し、当該目標マーク位置に当該記録マークＲＭが形成されていないときには青色再生光ビームＬｂ３を受光しないことにより、目標マーク位置に値「１」又は「０」のいずれが記録されているかを認識することができ、結果的に光ディスク１００の記録層１０１に記録された情報を再生することができる。
【０２３７】
因みに光ディスク装置２０は、光ディスク１００に反りや面ブレ等が生じ、当該光ディスク装置２０に対して当該光ディスク１００が傾きを有していた場合、情報記録時と同様、対物レンズ３８及び７８をそれぞれチルト制御するようになされている。
【０２３８】
これにより光ディスク装置２０は、図１７(Ｂ）に示した場合と同様、赤色光ビームＬｒ１の光軸Ｌｘ１を光ディスク１００に対して垂直に維持することができ、青色光ビームＬｂ１の焦点Ｆｂ１を目標マーク位置に正しく合わせることができる。
【０２３９】
（５）動作及び効果
以上の構成において、光ディスク装置２０は、記録層１０１の両面に反射透過膜１０４及び１０５が設けられた光ディスク１００に情報を記録する際、第１面及び第２面にそれぞれ赤色光ビームＬｒ１及びＬｒ２を照射し、反射された赤色反射光ビームＬｒ１ｅ及びＬｒ２ｅの検出結果を基に、対物レンズ３８及び７８のフォーカス制御及びトラッキング制御を行い、焦点Ｆｒ１及びＦｒ２をそれぞれ目標トラックに追従させ、またチルト制御を行うことによりそれぞれの光軸Ｌｘ１及びＬｘ２が光ディスク１００とほぼ垂直となるようにする。
【０２４０】
さらに光ディスク装置２０は、記録マークＲＭを記録すべきマーク記録層の番号ｉに応じた比率ｍを記憶部２１ＤのテーブルＴＢＬから読み出し、（７）式及び（８）式に従って距離ｔ１１及び距離ｔ１２を算出し、これに応じて可動レンズ６１及び可動レンズ９６を移動させることにより、赤色光ビームＬｒ１の焦点Ｆｒ１と青色光ビームＬｂ１の焦点Ｆｂ１との間隔を距離ｔ１１に調整すると共に、赤色光ビームＬｒ２の焦点Ｆｒ２と青色光ビームＬｂ２の焦点Ｆｂ２との間隔を距離ｔ１２に調整する。
【０２４１】
この結果、光ディスク装置２０は、青色光ビームＬｂ１の焦点Ｆｂ１及び青色光ビームＬｂ２の焦点Ｆｂ２を目標マーク位置に合わせることができ、当該目標マーク位置に記録マークＲＭを記録することができる。
【０２４２】
特に光ディスク装置２０は、反射透過膜１０４上の目標トラックと反射透過膜１０５上の目標トラックの２箇所を指標として、両者を結ぶ仮想線上を比率ｍ：（１−ｍ）で内分する点を目標マーク位置として定めることができるので、当該光ディスク装置２０に対して光ディスク１００が傾きを有していたとしても、青色光ビームＬｂ１の焦点Ｆｂ１及び青色光ビームＬｂ２の焦点Ｆｂ２をいずれも目標マーク位置に精度良く合わせることができる。
【０２４３】
この場合、光ディスク装置２０は、２箇所の目標トラックを指標として用いることから、例えば反射透過膜１０５が設けられていない光ディスクの反射透過膜１０４に対して赤色光ビームＬｒ１を照射し目標トラックに合焦させ、可動レンズ６１の位置によって目標マーク位置を定める場合（すなわち指標を１箇所とする場合）と比較して、焦点Ｆｂ１及び焦点Ｆｂ２を目標マーク位置に対して高精度に一致させることができる。
【０２４４】
また光ディスク装置２０は、反射透過膜１０４上の目標トラック及び反射透過膜１０５上の目標トラックを指標とする際、対物レンズ３８及び７８の駆動状態を基に当該目標トラックにおける記録層１０１の実際の厚さｔ１を算出することができるので、光ディスク１００の製造品質が悪く当該記録層１０１の厚みが一様でないような場合であっても、当該記録層１０１内に適切な間隔比で複数のマーク記録層を形成することができる。
【０２４５】
一方、光ディスク装置２０は、光ディスク１００から情報を再生する際にも、第１面及び第２面にそれぞれ赤色光ビームＬｒ１及びＬｒ２を照射し、反射された赤色反射光ビームＬｒ１ｅ及びＬｒ２ｅの検出結果を基に、対物レンズ３８及び７８のフォーカス制御、トラッキング制御及びチルト制御を行う。
【０２４６】
さらに光ディスク装置２０は、読み出すべき記録マークＲＭが記録されているマーク記録層の番号ｉに応じた比率ｍを記憶部２１ＤのテーブルＴＢＬから読み出し、（７）式に従って距離ｔ１１を算出し、これに応じて可動レンズ６１を移動させることにより、赤色光ビームＬｒ１の焦点Ｆｒ１と青色光ビームＬｂ１の焦点Ｆｂ１との間隔を距離ｔ１１に調整する。
【０２４７】
この結果、光ディスク装置２０は、青色光ビームＬｂ１の焦点Ｆｂ１を目標マーク位置に合わせることができ、当該目標マーク位置に記録されている記録マークＲＭから再生光として再生青色光ビームＬｂ３を発生させることができる。
【０２４８】
この再生時においても、光ディスク装置２０は、記録時と同様に２箇所の目標トラックを指標とし、両者を比率ｍ：（１−ｍ）で内分する点を目標マーク位置として定めることができるので、当該光ディスク装置２０に対して光ディスク１００が傾きを有していたとしても、青色光ビームＬｂ１の焦点Ｆｂ１を目標マーク位置に対して高精度に合わせることができる。
【０２４９】
以上の構成によれば、光ディスク装置２０は、光ディスク１００における記録層１０１の両面に設けられた反射透過膜１０４及び１０５の目標トラックにそれぞれ赤色光ビームＬｒ１及びＬｒ２を合焦させると共に、記録マークＲＭを記録すべきマーク記録層の番号ｉに応じた比率ｍを用いて距離ｔ１１及び距離ｔ１２を算出し、可動レンズ６１を移動させて赤色光ビームＬｒ１の焦点Ｆｒ１と青色光ビームＬｂ１の焦点Ｆｂ１との間隔を当該距離ｔ１１に調整すると共に、可動レンズ９６を移動させて赤色光ビームＬｒ２の焦点Ｆｒ２と青色光ビームＬｂ２の焦点Ｆｂ２との間隔を当該距離ｔ１２に調整することにより、当該焦点Ｆｂ１及び当該焦点Ｆｂ２を精度良く目標マーク位置に合わせることができる。
【０２５０】
（６）他の実施の形態
なお上述した実施の形態においては、光ディスク１００の記録層１０１の両面にトラックが形成された反射透過膜１０４及び１０５を設けるようにした場合について述べたが、本発明はこれに限らず、両面を含む記録層１０１内に３以上の反射透過膜を設けるようにしても良い。
【０２５１】
例えば図１６と対応する図２０において、光ディスク１１０は、光ディスク１００の構成に加えて、記録層１０１の中心部分に反射透過膜１１６が設けられている。この場合、光ディスク装置２０は、記録層１０１のうち反射透過膜１０４及び１１６に挟まれた部分を目標マーク位置とする場合には、赤色光ビームＬｒ１を反射透過膜１０４に合焦させると共に赤色光ビームＬｒ２を反射透過膜１１６に合焦させるようにすれば良く、また記録層１０１のうち反射透過膜１１６及び１０５に挟まれた部分を目標マーク位置とする場合には、赤色光ビームＬｒ１を反射透過膜１１６に合焦させると共に赤色光ビームＬｒ２を反射透過膜１０５に合焦させるようにすれば良い。この場合、反射透過膜１０４、１０５及び１１６に関しては、赤色光ビームＬｒ１及びＬｒ２の反射率（又は透過率）を適宜調整すれば良い。
【０２５２】
この光ディスク１１０では、記録層１０１のうち反射透過膜１０４及び１１６の間の部分及び反射透過膜１１６及び１０５の間の部分に、それぞれ２層以上のマーク記録層を形成することができる。
【０２５３】
因みに記録層における反射透過膜の位置としては、必ずしも当該記録層の両面に設ける必要はなく、例えば当該記録層の両面から所定距離だけ中心寄りに当該反射透過膜を設けるようにしても良い。
【０２５４】
また上述した実施の形態においては、光ディスク１００の両面から赤色光ビームＬｒ１及び赤色光ビームＬｒ２を照射するようにした場合について述べたが、本発明はこれに限らず、当該光ディスク１００の片面から赤色光ビームＬｒ１及びＬｒ２の両方を照射するようにしても良い。
【０２５５】
例えば図１６と対応する図２１において、光ディスク１２０の反射透過膜１２４は、赤色光ビームを約５０％の割合で反射及び透過させるようになされている。この場合、光ディスク装置２０は、各種波長板等の光学素子を利用して赤色光ビームＬｒ３及びＬｒ４の偏光方向が互いに異なるよう調整すると共に、例えば赤色光ビームＬｒ３の反射光を基に対物レンズ３８の位置制御を行い、図示しない可動レンズの位置を動かして青色光ビームＬｂ１と同様に赤色光ビームＬｒ４の収束状態を変化させることにより、当該赤色光ビームＬｒ４を反射透過膜１２５に合焦させ、このときの当該可動レンズの位置等を基に記録層１０１の局所的な厚さｔ１を算出すれば良い。
【０２５６】
因みに、このときの対物レンズ７８の位置制御に関しては、例えば赤色光ビームＬｒ３の反射光を基に対物レンズ３８の位置制御を行った際のフォーカスエラー信号ＳＦＥ及びトラッキングエラー信号ＳＴＥ等を適宜換算して当該対物レンズ７８の位置制御を行うようにすれば良い。
【０２５７】
さらに上述した実施の形態においては、光ディスク１００の両面から同一波長でなる赤色光ビームＬｒ１及びＬｒ２を照射し、その反射光を基に対物レンズ３８及び７８の位置制御を行うようにした場合について述べたが、本発明はこれに限らず、当該光ディスク１００の両面又は片面から互いに異なる波長の光ビームを照射し、その反射光を基に対物レンズ３８及び７８の位置制御を行うようにしても良い。
【０２５８】
例えば図１６と対応する図２２において、光ディスク１３０の反射透過膜１３５は、緑色光ビームＬｇ１を反射させると共に青色光ビームＬｂ１及びＬｂ２（破線で示す）を透過させるような波長選択性を有している。また、反射透過膜１０４は、赤色光ビームＬｒ１を反射させると共に、緑色光ビームＬｇ１並びに青色光ビームＬｂ１及びＬｂ２を透過させるような波長選択性を有している。
【０２５９】
この場合、光ディスク装置２０は、例えば各波長に対応したダイクロックプリズム（図示せず）等を用いることにより各光ビームの同一光路への混合や別光路への分離等を行えば良く、例えば赤色光ビームＬｒ１の反射光を基に対物レンズ３８の位置制御を行い、図示しない可動レンズの位置を動かして青色光ビームＬｂ１と同様に緑色光ビームＬｇ１の収束状態を変化させることにより、当該緑色光ビームＬｇ１を反射透過膜１３５に合焦させ、このときの当該可動レンズの位置等を基に記録層１０１の局所的な厚さｔ１を算出すれば良い。
【０２６０】
さらに上述した実施の形態においては、情報の記録時及び再生時に第１面位置制御光学系３０及び第２面位置制御光学系９０の双方により記録層１０１の厚さｔ１（図１６）を求め（７）式に従い距離ｔ１１を算出するようにした場合について述べたが、本発明はこれに限らず、例えば情報の記録時に、第２面位置制御光学系９０を用いず第１面位置制御光学系３０により対物レンズ３８の位置制御を行い、このときのフォーカスエラー信号ＳＦＥ１及びトラッキングエラー信号ＳＴＥ１等を適宜換算して対物レンズ７８の位置制御を行うようにしても良い。この場合、規格等による厚さｔ１の規定値を用いて距離ｔ１１及びｔ１２を算出し、青色光ビームＬｂ１及びＬｂ２の焦点Ｆｂ１及びＦｂ２を目標マーク位置に合わせるようにすればよい。
【０２６１】
また情報の再生時に関しては、例えば最初に第１面位置制御光学系３０のみにより対物レンズ３８の位置制御を行い、厚さｔ１の規定値を用いて距離ｔ１１を算出し目標マーク位置の記録マークＲＭに対して青色光ビームＬｂ１の焦点Ｆｂ１を合わせて再生光の検出を試み、当該再生光をうまく検出できなかった段階で初めて第２面位置制御光学系９０も併用し、上述したように厚さｔ１の実測値を求め（７）式に従い距離ｔ１１を算出するようにしても良い。
【０２６２】
さらに上述した実施の形態においては、対物レンズ３８及び７８の位置制御を行うための光ビーム（これを位置制御光ビームと呼ぶ）を波長約６６０［ｎｍ］の赤色光ビームとし、記録マークＲＭを形成するための光ビーム（これを記録光ビームと呼ぶ）を波長約４０５［ｎｍ］の青色光ビームとするようにした場合について述べたが、本発明はこれに限らず、位置制御光ビーム及び記録光ビームをそれぞれ任意の波長としても良い。
【０２６３】
この場合、反射透過膜１０４及び１０５としては、位置制御光ビームをその波長に応じて反射し、記録光ビームをその波長に応じて透過する性質を有していればよい。また記録層１０１は、記録光ビームの波長に反応する材料であれば良い。
【０２６４】
因みに記録光ビームの波長を変更した場合、上述した（１）式及び（２）式に示したように、記録マークＲＭのサイズが変化するため、記録マークＲＭ間の距離ｐ１、トラック間の距離ｐ２及びマーク記録層同士の距離ｐ３についても適宜変更することが好ましい。
【０２６５】
或いは、位置制御光ビームと記録光ビームとを同波長とするようにしても良い。この場合、光ディスク１００の反射透過膜１０４及び１０５は、波長選択性を持たずに当該位置制御光ビーム及び記録光ビームをそれぞれ所定割合で反射（透過）させれば良い。
【０２６６】
さらに上述した実施の形態においては、赤色光ビームＬｒ１及び青色光ビームＬｂ１の光軸を一致させると共に、赤色光ビームＬｒ２及び青色光ビームＬｂ２の光軸を一致させるようにした場合について述べたが、本発明はこれに限らず、例えば赤色光ビームＬｒ１及び青色光ビームＬｂ１の光軸を互いに所定間隔だけずらし、或いは互いに所定角度だけずらすようにする等しても良い。この場合、青色光ビームＬｂ２に関しては、青色光ビームＬｂ１と共通の光軸を互いに反対方向から進行させることにより、良好な記録マークＲＭを形成することができる。
【０２６７】
さらに上述した実施の形態においては、光ディスク１００の記録層１０１内に微小なホログラムを新たに形成することにより情報の値「０」又は「１」を表す記録マークＲＭを記録する、いわゆるポジ型の記録を行うようにした場合について述べたが、本発明はこれに限らず、例えば光ディスク１００の記録層１０１内に、予め当該光ディスク１００のほぼ全面に渡るホログラムを所定間隔ごとに多層化して形成しておき、所定強度の青色光ビームＬｂ１及びＬｂ２を目標マーク位置に合焦させて当該目標マーク位置のホログラムを破壊（消去）することにより情報の値「０」又は「１」を記録する、いわゆるネガ型の記録を行うようにしても良い。
【０２６８】
さらに上述した実施の形態においては、光ディスク１００の直径を約１２０［ｍｍ］、記録層１０１の厚さｔ１を約０．３［ｍｍ］、基板１０２及び１０３の厚さｔ２及びｔ３を約０．６［ｍｍ］とするようにした場合について述べたが、本発明はこれに限らず、それぞれ他の値であっても良い。この場合、記録層１０１並びに基板１０２及び１０３の厚さと各材料の屈折率等を考慮した上で、青色光ビームＬｂ１及びＬｂ２の焦点が目標マーク位置に合わされるよう、各光学部品の光学特性や配置等が設定されていれば良い。
【０２６９】
さらに上述した実施の形態においては、第１の位置制御手段としての第１面位置制御光学系３０、信号処理部２３及び駆動制御部２２と、第２の位置制御手段としての第２面位置制御光学系７０、信号処理部２３及び駆動制御部２２と、焦点位置設定手段としてのリレーレンズ６０及び９５、信号処理部２３、制御部２１並びに駆動制御部２２によって光ディスク装置としての光ディスク装置２０を構成する場合について述べたが、本発明はこれに限らず、その他種々の回路構成でなる第１の位置制御手段と、第２の位置制御手段と、焦点位置設定手段とによって光ディスク装置を構成するようにしても良い。
【産業上の利用可能性】
【０２７０】
本発明は、記録媒体としての光ディスクに音楽コンテンツや映像コンテンツ或いは各種データ等を大量に記録する光ディスク装置において利用することができる。
【図面の簡単な説明】
【０２７１】
【図１】従来の定在波記録型光ディスク装置の構成を示す略線図である。
【図２】ホログラムの形成の様子を示す略線図である。
【図３】従来の光ディスクへの光ビームの照射の様子を示す略線図である。
【図４】光ディスクが傾いたときの光ビームの照射の様子を示す略線図である。
【図５】本発明の一実施形態による光ディスクの構成を示す略線図である。
【図６】本発明の一実施形態による光ディスク装置の構成を示す略線図である。
【図７】光ピックアップの外観構成を示す略線図である。
【図８】光ピックアップの構成を示す略線図である。
【図９】第１面における赤色光ビームの光路を示す略線図である。
【図１０】フォトディテクタにおける検出領域の構成を示す略線図である。
【図１１】青色光ビームの光路（１）を示す略線図である。
【図１２】青色光ビームの光路（２）を示す略線図である。
【図１３】第２面における赤色光ビームの光路を示す略線図である。
【図１４】フォトディテクタにおける検出領域の構成を示す略線図である。
【図１５】光ディスク装置における情報の記録の様子を示す略線図である。
【図１６】記録時における光ディスクへの光ビームの照射の説明に供する略線図である。
【図１７】チルトの補正の説明に供する略線図である。
【図１８】光ディスク装置における情報の再生の様子を示す略線図である。
【図１９】再生時における光ディスクへの光ビームの照射の説明に供する略線図である。
【図２０】他の実施の形態における光ディスクへの光ビームの照射（１）の説明に供する略線図である。
【図２１】他の実施の形態における光ディスクへの光ビームの照射（２）の説明に供する略線図である。
【図２２】他の実施の形態における光ディスクへの光ビームの照射（３）の説明に供する略線図である。
【符号の説明】
【０２７２】
２０……光ディスク装置、２１……制御部、２１Ａ……アドレス算出部、２１Ｂ……記録層位置算出部、２２Ｃ……層オフセット決定部、２２Ｄ……記憶部、２２……駆動制御部、２３……信号処理部、２６……光ピックアップ、３０……第１面位置制御光学系、３１、５１、７１……レーザダイオード、３７、５５、５８、７７……偏光ビームスプリッタ、３８、７８……対物レンズ、３８Ａ、７８Ａ……３軸アクチュエータ、４３、６４、８３……フォトディテクタ、５０……第１面情報光学系、６０、９５……リレーレンズ、６１、９６……可動レンズ、６１Ａ、９６Ａ……アクチュエータ、７０……第２面位置制御光学系、９０……第２面情報光学系、９１……シャッタ、１００……光ディスク、１０１……記録層、１０２、１０３……基板、１０４、１０５……反射透過膜、Ｌｒ１、Ｌｒ２……赤色光ビーム、Ｌｒ１ｅ、Ｌｒ２ｅ……赤色反射光ビーム、Ｌｂ０、Ｌｂ１、Ｌｂ２……青色光ビーム、Ｌｂ３……青色再生光ビーム、Ｆｒ１、Ｆｒ２、Ｆｂ１、Ｆｂ２……焦点、ＲＭ……記録マーク。
【図１】
2008097754.tif 000011
【図２】
2008097754.tif 000012
【図３】
2008097754.tif 000013
【図４】
2008097754.tif 000014
【図５】
2008097754.tif 000015
【図６】
2008097754.tif 000016
【図７】
2008097754.tif 000017
【図８】
2008097754.tif 000018
【図９】
2008097754.tif 000019
【図１０】
2008097754.tif 000020
【図１１】
2008097754.tif 000021
【図１２】
2008097754.tif 000022
【図１３】
2008097754.tif 000023
【図１４】
2008097754.tif 000024
【図１５】
2008097754.tif 000025
【図１６】
2008097754.tif 000026
【図１７】
2008097754.tif 000027
【図１８】
2008097754.tif 000028
【図１９】
2008097754.tif 000029
【図２０】
2008097754.tif 000030
【図２１】
2008097754.tif 000031
【図２２】
2008097754.tif 000032